(57)【要約】  本明細書は、構成済みグラントを使用した上りリンク（ＵＬ）送信のための上りリンク制御情報（ＵＣＩ）設計のための方法および装置について説明する。一実施形態によれば、無線通信デバイスは、ｇＮＢから、物理上りリンク共有チャネル（ＰＵＳＣＨ）上の構成済みグラント（ＣＧ）のための複数のリソースを示す第１の情報を受信することができる。無線通信デバイスは、第２の情報に基づいて、複数のリソースのうち、構成済みグラント上りリンク制御情報（ＣＧ−ＵＣＩ）を送信するために使用される一部を決定することができる。無線通信デバイスは、ＣＧ−ＵＣＩを生成することができ、ＣＧ−ＵＣＩは、無線通信デバイスに関連付けられた識別子または変調符号化方式（ＭＣＳ）のインジケーションのうちの少なくとも一方を含む。無線通信装置は、複数のリソースのうちの決定された一部を使用して、ＰＵＳＣＨ上のｇＮＢに、ＣＧ−ＵＣＩを送信することができる。
2021534628.tif 000002
【特許請求の範囲】
【請求項１】
プロセッサとメモリを備える無線通信デバイスであって、前記無線通信デバイスは、前記無線通信デバイスの前記メモリに格納され、前記無線通信デバイスの前記プロセッサによって実行されたときに、前記無線通信デバイスに
次世代ノードＢ（Next  Generation  NodeB：ｇＮＢ）から、物理上りリンク共有チャネル（ＰＵＳＣＨ）上の構成済みグラント（ＣＧ）のための複数のリソースを示す第１の情報を受信することと、
第２の情報に基づいて、前記複数のリソースのうち、構成済みグラント上りリンク制御情報（CG  Uplink  Control  Information：ＣＧ−ＵＣＩ）を送信するために使用する一部を決定することと、
前記無線通信デバイスに関連付けられた識別子または変調符号化方式（ＭＣＳ）のインジケーションのうちの少なくとも一方を含む前記ＣＧ−ＵＣＩを生成することと、
前記複数のリソースの前記決定された一部を使用して、前記ＰＵＳＣＨ上の前記ｇＮＢに前記ＣＧ−ＵＣＩを送信することと、を含む動作を実行させるコンピュータ実行可能命令をさらに備える、無線通信デバイス。
【請求項２】
前記複数のリソースの前記決定された一部は、復調用参照信号を運ぶシンボルに続くシンボルを含む、請求項１に記載の無線通信デバイス。
【請求項３】
前記複数のリソースの前記決定された一部は、復調用参照信号を運ぶシンボルに先行するシンボルを含む、請求項１に記載の無線通信デバイス。
【請求項４】
前記一部を前記決定することは、前記ＣＧ−ＵＣＩを送信するために使用する前記ＣＧ中のシンボルの数を決定することを含む、請求項１に記載の無線通信デバイス。
【請求項５】
前記第２の情報は、前記ＣＧ−ＵＣＩを送信するために使用する前記ＣＧ中のシンボルの数を示す無線リソース制御パラメータを含む、請求項１に記載の無線通信デバイス。
【請求項６】
前記第２の情報は、前記無線通信デバイスが無線リソース制御接続状態または無線リソース制御非アクティブ状態のときに受信される、請求項５に記載の無線通信デバイス。
【請求項７】
前記第２の情報は、前記無線通信デバイスが無線リソース制御接続状態から無線リソース制御非アクティブ状態に移行するようにトリガされる前に受信される、請求項５に記載の無線通信デバイス。
【請求項８】
前記無線リソース制御パラメータは、ブロードキャストメッセージの中で受信される、請求項５に記載の無線通信デバイス。
【請求項９】
前記第２の情報は、前記ＣＧ−ＵＣＩを送信するために使用する前記ＣＧ中のシンボルの数のインジケーションを含む下りリンク制御情報の中で受信される、請求項１に記載の無線通信デバイス。
【請求項１０】
前記第２の情報は、前記無線通信デバイスが、前記ＣＧ−ＵＣＩを送信するために使用する前記ＣＧ中のシンボルまたはリソースエレメントの数を計算することを可能にする無線リソース制御パラメータを含む、請求項１に記載の無線通信デバイス。
【請求項１１】
前記ＣＧ−ＵＣＩには巡回冗長検査パリティビットが付加される、請求項１に記載の無線通信デバイス。
【請求項１２】
前記ＣＧ−ＵＣＩは、グループ固有のスクランブリングシーケンスを使用してスクランブルされる、請求項１に記載の無線通信デバイス。
【請求項１３】
前記ＣＧ−ＵＣＩは、一意的なシンボルレベル拡散符号を使用して拡散される、請求項１に記載の無線通信デバイス。
【請求項１４】
前記ＣＧ−ＵＣＩは、インターリービングオフセットに基づいて送信用出力ビットでインターリーブされる、請求項１に記載の無線通信デバイス。
【請求項１５】
前記ＣＧ−ＵＣＩは、第２の無線通信デバイスによって送信された第２のＣＧ−ＵＣＩを用いて周波数分割多重化される、請求項１に記載の無線通信デバイス。
【請求項１６】
前記ＣＧ−ＵＣＩは、第２の無線通信デバイスによって送信された第２のＣＧ−ＵＣＩを用いてインターレースされる、請求項１に記載の無線通信デバイス。
【請求項１７】
無線通信デバイスで使用するための方法であって、
次世代ノードＢ（Next  Generation  NodeB：ｇＮＢ）から、物理上りリンク共有チャネル（ＰＵＳＣＨ）上の構成済みグラント（ＣＧ）のための複数のリソースを示す第１の情報を受信することと、
第２の情報に基づいて、前記複数のリソースのうち、構成済みグラント上りリンク制御情報（CG  Uplink  Control  Information：ＣＧ−ＵＣＩ）を送信するために使用する一部を決定することと、
前記無線通信デバイスに関連付けられた識別子または変調符号化方式（ＭＣＳ）のインジケーションのうちの少なくとも一方を含む前記ＣＧ−ＵＣＩを生成することと、
前記複数のリソースの前記決定された一部を使用して、前記ＰＵＳＣＨ上の前記ｇＮＢに前記ＣＧ−ＵＣＩを送信することと、を含む方法。
【請求項１８】
前記複数のリソースの前記決定された一部は、復調用参照信号を運ぶシンボルに続くシンボル、または復調用参照信号を運ぶシンボルに先行するシンボルを含む、請求項１７に記載の方法。
【請求項１９】
前記一部を前記決定することは、前記ＣＧ−ＵＣＩを送信するために使用する前記ＣＧ中のシンボルの数を決定することを含む、請求項１７に記載の方法。
【請求項２０】
プロセッサとメモリを備える無線通信デバイスであって、前記無線通信デバイスは、前記無線通信デバイスの前記メモリに格納され、前記無線通信デバイスの前記プロセッサによって実行されたときに、前記無線通信デバイスに
次世代ノードＢ（Next  Generation  NodeB：ｇＮＢ）から、物理上りリンク共有チャネル（ＰＵＳＣＨ）上の構成済みグラント（ＣＧ）のための複数のリソースを示す第１の情報を受信することと、
第２の情報に基づいて、前記複数のリソースのうち、構成済みグラント上りリンク制御情報（CG  Uplink  Control  Information：ＣＧ−ＵＣＩ）を送信するために使用する一部を決定することと、
前記無線通信デバイスに関連付けられた情報を含む前記ＣＧ−ＵＣＩを生成することと、
前記複数のリソースの前記決定された一部を使用して、前記ＰＵＳＣＨ上の前記ｇＮＢに前記ＣＧ−ＵＣＩを送信することと、
を含む動作を実行させるコンピュータ実行可能命令をさらに備える、無線通信デバイス。
【発明の詳細な説明】
【技術分野】
【０００１】
〔関連出願の相互参照〕
本出願は、２０１８年８月９日出願の米国仮特許出願第６２／７１６，７２７号の利益を主張する。その内容全体は本明細書に参照により援用される。
【背景技術】
【０００２】
第五世代（Fifth  Generation：５Ｇ）ＮＲにおける非直交多元接続（ＮＯＭＡ）のためのいくつかのユースケースが提案されている。グラントフリーＮＯＭＡにおいては、次世代ノードＢ（Next  Generation  NodeB：ｇＮＢ）は、ＵＥがいつ上りリンクＵＬ送信を実行するかを知らないか、またはＵＥの識別を知らない可能性がある。グラントベースのシナリオでは、ＵＥは、専用の復調用参照信号（ＤＭＲＳ）を使用して構成されることができ、その結果、ｇＮＢは、対応するＤＭＲＳを検出することによってＵＥを識別し得る。さらに、グラントフリー送信では、ＵＥがＭＣＳ値を自律的に選択することができる適応変調符号化方式（ＭＣＳ）が、スペクトル効率を改善するために有益であり得る。この場合、データを復号化するためにＵＥが使用するＭＣＳレベルをｇＮＢに通知する必要がある可能性がある。
【０００３】
したがって、グラントフリーＮＯＭＡにおけるＵＥ識別のためのメカニズム、およびＭＣＳ選択および報告のためのメカニズムが必要である。
【発明の概要】
【課題を解決するための手段】
【０００４】
本概要は、以下の詳細な説明でさらに記述される概念の選択を簡略化された形式で紹介するために提供される。本概要は、特許請求される主題の主要な特徴または本質的な特徴を特定することを意図しておらず、特許請求された主題の範囲を制限するために使用されることも意図されていない。さらに、特許請求された主題は、本開示の任意の部分に記載された不利点のいずれかまたはすべてを解決する制限に限定されない。
【０００５】
本明細書は、構成済みグラントを使用した上りリンク（ＵＬ）送信のための上りリンク制御情報（Uplink  Control  Information：ＵＣＩ）設計のための方法および装置について説明する。ユーザ端末（ＵＥ）は、構成済みグラントを使用したＵＬ送信のために、構成済みグラント物理上りリンク共有チャネル（Physical  Uplink  Shared  Channel：ＰＵＳＣＨ）上で構成済みグラントＵＣＩ（ＣＧ−ＵＣＩ）を送信することができる。ＰＵＳＣＨ上でＣＧ−ＵＣＩを送信するために使用されるリソースは、以下を含むがそれらに限定されない手法を使用して、ｇＮＢによって決定され、ＵＥに示され得る。すなわち、無線リソース制御（ＲＲＣ）接続状態のＵＥに対するＵＥ固有のＲＲＣ構成メッセージを介する手法、ＲＲＣ接続状態のＵＥに対するＵＥ固有のＲＲＣ構成と下りリンク制御情報（ＤＣＩ）シグナリングとを共に使用する手法、ＲＲＣ非アクティブ状態のＵＥに対するＵＥ固有のＲＲＣ構成メッセージを介する手法、ＲＲＣ非アクティブ状態のＵＥに対するグループ固有のＲＲＣ構成メッセージを介する手法、およびＲＲＣアイドル状態のＵＥに対するセル固有のＲＲＣ構成メッセージを介する手法のうち少なくとも１つである。
【０００６】
複数の非直交多元接続（ＮＯＭＡ）ＵＥは、以下を含むがそれらに限定されない手法を使用して、同じ構成済みグラント内でＣＧ−ＵＣＩを同時に送信することができる。すなわち、グループ固有のスクランブリングを用いる手法、グループ固有のシンボルレベルの拡散を用いる手法、グループ固有のオフセットを使用したビットレベルのインターリービングを用いる手法、および周波数分割多重化（ＦＤＭ）または周波数領域インターレースされたリソースを用いる手法のうち少なくとも１つである。
【０００７】
ＵＥは、専用構成を介して構成された構成済みグラント物理上りリンク制御チャネル（Physical  Uplink  Control  Channel:ＰＵＣＣＨ）上でＣＧ−ＵＣＩを送信することができる。ＵＥは、以下を含むがそれらに限定されない手法を使用して、ＣＧ−ＵＣＩシグナリングを介してＵＥ識別子（UE  Identifier：ＵＥ  ＩＤ）を示すことができる。すなわち、ＲＲＣ接続状態のＵＥに対する構成済みスケジューリング無線ネットワーク一時識別子（ＣＳ−ＲＮＴＩ）を示す手法、ＲＲＣ非アクティブ状態のＵＥに対する非アクティブＲＮＴＩ（Inactive  RNTI：Ｉ−ＲＮＴＩ）を示す手法、ＲＲＣアイドル状態のＵＥに対する国際モバイル加入者識別（ＩＭＳＩ）または動的モバイル加入者識別（ＤＭＳＩ）を示す手法、およびグループ内のローカルＩＤと使用されるＤＭＲＳとを共に使用する手法のうち少なくとも１つである。ＵＥは、デフォルトのＭＣＳ値を用いて構成されることができ、構成済みグラントを使用したＵＬ送信のために構成されたＭＣＳを上書きするかを自律的に選択することができる。ＵＥは、以下を含むがそれらに限定されない手法を使用して、ＣＧ−ＵＣＩシグナリングを介してデフォルトのＭＣＳ値を上書きするかを示すことができる。すなわち、ＣＧ−ＵＣＩビットを介した明示的なインジケーション、および２つの異なるＣＧ−ＵＣＩビット長を用いた暗黙的なインジケーションのうち少なくとも一方である。
【０００８】
ＵＥは、ＭＣＳ値を自律的に選択し、以下を含むがそれらに限定されない手法を使用して、ＣＧ−ＵＣＩシグナリングを介して構成されたグラントを使用したＵＬ送信のために選択されたＭＣＳ値をｇＮＢに示すことができる。すなわち、選択されたＭＣＳインデックスの明示的なインジケーション、および選択されたＭＣＳ値と構成済み参照ＭＣＳインデックスの間のインデックスの相違を示す手法のうち少なくとも一方である。
【０００９】
一実施形態によれば、無線通信デバイスは、ｇＮＢから、物理上りリンク共有チャネル（ＰＵＳＣＨ）上の構成済みグラント（ＣＧ）のための複数のリソースを示す第１の情報を受信することができる。無線通信デバイスは、第２の情報に基づいて、複数のリソースのうち、構成済みグラント上りリンク制御情報（ＣＧ−ＵＣＩ）を送信するために使用される一部を決定することができる。無線通信デバイスは、ＣＧ−ＵＣＩを生成することができ、ＣＧ−ＵＣＩは、無線通信デバイスに関連付けられた識別子または変調符号化方式（ＭＣＳ）のインジケーションのうちの少なくとも一方を含む。無線通信装置は、複数のリソースのうちの決定された一部を使用して、ＰＵＳＣＨ上のｇＮＢに、ＣＧ−ＵＣＩを送信することができる。
【図面の簡単な説明】
【００１０】
上述の要約および以下の詳細な説明は、添付図面と併せて読むと、より良く理解される。本開示を示すために、開示の様々な態様が示されている。ただし、本開示は説明される特定の態様に限定されない。図面は以下の通りである。
【００１１】
【図１】図１は、非直交多元接続（ＮＯＭＡ）スキームの図である。
【図２Ａ】図２Ａは、ＰＵＳＣＨマッピングタイプＡを持つ構成済みグラントの例の図である。
【図２Ｂ】図２Ｂは、ＰＵＳＣＨマッピングタイプＢを持つ構成済みグラントの例の図である。
【図３Ａ】図３Ａは、ＰＵＳＣＨマッピングタイプＡを持つ構成済みグラントのためにフロントロードされたＤＭＲＳシンボルの後にＰＵＳＣＨ上で送信されるＣＧ−ＵＣＩの例の図である。
【図３Ｂ】図３Ｂは、ＰＵＳＣＨマッピングタイプＢを持つ構成済みグラントのためにフロントロードされたＤＭＲＳシンボルの後にＰＵＳＣＨ上で送信されるＣＧ−ＵＣＩの例の図である。
【図４Ａ】図４Ａは、ＰＵＳＣＨの最初のシンボルから開始する構成済みグラントのためにフロントロードされたＤＭＲＳシンボルの前にＰＵＳＣＨ上で送信されるＣＧ−ＵＣＩの例の図である。
【図４Ｂ】図４Ｂは、フロントロードされたＤＭＲＳシンボルに隣接するシンボル上で送信される構成済みグラントＣＧ−ＵＣＩのためにフロントロードされたＤＭＲＳシンボルの前にＰＵＳＣＨ上で送信されるＣＧ−ＵＣＩの例の図である。
【図５】図５は、ＣＧ−ＵＣＩシンボル生成のためのデータフローの例の図である。
【図６】図６は、グループ固有のスクランブリングによるＣＧ−ＵＣＩシンボル生成のためのデータフローの例の図である。
【図７】図７は、シンボルレベル拡散によるＣＧ−ＵＣＩシンボル生成のためのデータフロー例の図である。
【図８】図８は、ビットレベルインターリービングによるＣＧ−ＵＣＩシンボル生成のためのデータフロー例の図である。
【図９Ａ】図９Ａは、周波数分割多重化されたＣＧ−ＵＣＩを送信するためのリソースの例の図である。
【図９Ｂ】図９Ｂは、インターレースされたＣＧ−ＵＣＩを送信するためのリソースの例の図である。
【図１０Ａ】図１０Ａは、本明細書で説明および特許請求される方法および装置が実施形態であり得る通信システム例の一実施形態を示す。
【図１０Ｂ】図１０Ｂは、本明細書に示される実施形態に従って無線通信用に構成された装置またはデバイスの例のブロック図である。
【図１０Ｃ】図１０Ｃは、実施形態に係る無線アクセスネットワーク（Radio  Access  Network：ＲＡＮ）およびコアネットワークのシステム図である。
【図１０Ｄ】図１０Ｄは、実施形態に係るＲＡＮおよびコアネットワークのシステム図である。
【図１０Ｅ】図１０Ｅは、実施形態に係るＲＡＮおよびコアネットワークのシステム図である。
【図１０Ｆ】図１０Ｆは、図１０Ａ、１０Ｃ、１０Ｄ、および１０Ｅに示す通信ネットワークの１つ以上の装置を具現化し得る例示的コンピューティングシステムのブロック図である。そして、
【図１０Ｇ】図１０Ｇは、本明細書で説明および特許請求される方法および装置が実施形態であり得る通信システム例の一実施形態を示す。
【発明を実施するための形態】
【００１２】
本明細書では、構成済みグラントを使用した上りリンク（ＵＬ）送信のための上りリンク制御情報（ＵＣＩ）設計のための方法および装置について説明する。
【００１３】
以下の略語および定義を本明細書で使用することができる。
ACK  Acknowledgement（肯定応答）
BWP  Bandwidth  Part（帯域幅パート）
CDM  Code-Domain  Multiplexing  （符号領域多重化）
CE    Control  Element（制御エレメント）
CG    Configured  Grant（構成済みグラント）
CSI  Channel  State  Information（チャネル状態情報）
CS-RNTI  Configured  Scheduling  RNTI（構成済みスケジューリングＲＮＴＩ）
DCI  Downlink  Control  Information（下りリンク制御情報）
DL    Downlink（下りリンク）
DMRS  Demodulation  Reference  Signal（復調用参照信号）
DMSI  Dynamic  Mobile  Subscriber  Identity（動的モバイル加入者識別）
eMBB  enhanced  Mobile  Broadband（拡張モバイルブロードバンド）
FDM  Frequency-Division  Multiplexing（周波数分割多重化）
HARQ  Hybrid  Automatic  Repeat  Request（ハイブリッド自動再送要求）
IMSI  International  Mobile  Subscriber  Identity（国際モバイル加入者識別）
KPI  Key  Performance  Indicators（重要業績評価指標）
LTE  Long  Term  Evolution（ロングタームエボリューション）
MAC  Medium  Access  Control（メディアアクセス制御）
MCS  Modulation  Coding  Scheme（変調符号化方式）
mMTC  massive  Machine  Type  Communication（大規模マシンタイプ通信）
MSB  Most  Significant  Bit（最上位ビット）
NOMA  Non-Orthogonal  Multiple  Access（非直交多元接続）
NR  New  Radio（新無線）
OFDM  Orthogonal  Frequency-Division  Multiplexing（直交周波数分割多重方式）
OMA  Orthogonal  Multiple  Access（直交多元接続）
OSI  Other  System  Information（他システム情報）
PDCCH  Physical  Downlink  Control  Channel（物理下りリンク制御チャネル）
PUSCH  Physical  Uplink  Shared  Data  Channel（物理上りリンク共有チャネル）
PTRS  Phase  Tracking  Reference  Signal（位相トラッキング参照信号）
QAM  Quadrature  Amplitude  Modulation（直角位相振幅変調）
QoS  Quality  of  Service（サービスの質）
QPSK  Quadrature  Phase-Shift  Keying（４位相偏移変調）
RE    Resource  Element（リソースエレメント）
RMSI  Remain  Minimum  System  Information（残存最小システム情報）
RNTI  Radio  Network  Temporary  Identifier（無線ネットワーク一時識別子）
RRC  Radio  Resource  Control（無線リソース制御）
TDM  Time-Division  Multiplexing（時分割多重化）
UE    User  Equipment（ユーザ端末）
UL    Uplink（上りリンク）
URLLC  Ultra-Reliable  and  Low  Latency  Communications（超高信頼低遅延通信）
【００１４】
ロングタームエボリューション（ＬＴＥ）システムは、非直交多元接続（ＮＯＭＡ）を使用することができる。ＬＴＥにおける最初のＮＯＭＡアプリケーションは、下りリンク（ＤＬ）用に導入された。ＤＬ  ＮＯＭＡが提案され、その後、ＬＴＥが、サービング基地局（Base  Station：ＢＳ）からユーザ端末（ＵＥ）への支援情報を使用して、セル内干渉が発生したかについて、データチャネルに対するＤＬセル内マルチユーザ重畳送信（Multiuser  Superposition  Transmission：ＭＵＳＴ）をサポートできるようにするために必要なメカニズムが調査された。５Ｇ  ＮＲ用のＮＯＭＡについても検討された。ＮＲ  ＮＯＭＡフェーズ１研究では、大規模な接続性をサポートするために、主として上りリンク（ＵＬ）送信を対象とする多数のＮＯＭＡ方式が提案されている。
【００１５】
図１は、ＮＯＭＡ方式１００の例を示す。図１は、複数のＵＥについて、所与の周波数５１、時間５３、およびコード／シーケンス／インターリーバ５２を示す。図１の例に示すように、ＵＥ５６、５７、５８、および５９は、ＮＯＭＡ方式で動作するとき、所与の時間５５および周波数（帯域幅（ＢＷ））５４リソースにおいて多重化することができる。特定のシステム機能停止時にサポートされるパケット到着率の点で、システム容量が向上するだけでなく、ＵＬリンクレベルの合計スループットと過負荷能力の点でも、ＮＯＭＡの大きな利点があり得る。
【００１６】
しかし、ＮＯＭＡ方式を使用して通信する場合、図１の例におけるＵＥ５６、５７、５８、および５９によって使用されている重複リソースなどの重複リソースを使用する送信間に干渉があり得る。システム負荷の増加につれて、すなわち、より多くのＮＯＭＡ  ＵＥがリソースを共有または重複するにつれて、この非直交特性（送信間の干渉）がより顕著になり得る。非直交送信間の干渉に対処するために、拡散（線形か非線形か、スパース性の有無にかかわらず）やインターリービングなどの送信機側の方式を採用して、高度な受信機の性能を向上させ、負担を軽減することができる。
【００１７】
提案された様々なＮＯＭＡ方式間の主な違いは、非直交送信を可能にするために使用される多元接続（ＭＡ）シグネチャである。使用されるＭＡシグネチャに基づいて、ＮＲ  ＮＯＭＡ候補方式は、コードブックベース、シーケンスベース、およびインターリーバまたはスクランブリングベースの３つの主要なタイプに分類できる。
【００１８】
５Ｇ  ＮＲにおけるＮＯＭＡのいくつかのユースケースが提案されている。ＮＲで特定された３つの主要なユースシナリオ（ｍＭＴＣ、ＵＲＬＬＣ、およびｅＭＢＢ）のすべてについて、ＮＯＭＡの採用が提案されている。ユースシナリオごとに、利点は次のように要約できる。
【００１９】
ｍＭＴＣのユースシナリオでは、ＮＯＭＡを採用することの利点として、以下が含まれ得る。すなわち、高度の過負荷を伴う物理リソース当たりのより高い接続密度の提供、およびグラントフリーアクセスを可能にすることによる、遅延、シグナリングオーバーヘッド、および電力消費の削減である。
【００２０】
ＵＲＬＬＣのユースシナリオでは、ＮＯＭＡは、グラントフリー送信の効率的な使用を可能にすることができ、したがって、ＵＲＬＬＣの低遅延ユースケースに有利であり得る。ＮＯＭＡを採用する利点には、以下のようなものも含まれる。すなわち、リソース利用効率の向上、拡散と符号化によって達成されるダイバーシティゲインを通じたより高い信頼性の提供、ＭＡシグネチャの注意深い設計による、衝突に対するロバスト性の強化、および混合したトラフィックタイプを多重化する能力の提供である。
【００２１】
ｅＭＢＢのユースシナリオでは、ＮＯＭＡを採用することの利点として、以下が含まれ得る。すなわち、効率的なリソース利用、非直交なユーザ多重化による領域の大容量化、フェーディングおよびコードドメイン設計との干渉に対するロバスト性、およびセルスループットの向上とＣＳＩ精度の緩和された効率的なリンク適応である。
【００２２】
ＮＲシステムでは、動的グラントなしのＵＬ送信がサポートされ得る。ＮＲでは、２種類の動的グラントなしの送信（本明細書では、構成済みグラント（ＣＧ）と呼ばれることもある）がサポートされている。
【００２３】
構成済みグラントタイプ１：上りリンクグラントは、ＲＲＣによって提供され、構成済み上りリンクグラントとして格納される。ＵＥは、構成済みグラントの構成を用いてＲＲＣによって構成されることができ、それは、リソースの周期性およびＳＦＮ＝０に対するオフセット、時間領域リソース割り当て、周波数領域リソース割り当て、ＵＥ固有の復調用参照信号（ＤＭＲＳ）構成、ＭＣＳ／トランスポートブロックサイズ（Transport  Block  Size：ＴＢＳ）値、繰り返し数Ｋ、電力制御などを含み得る。
【００２４】
構成済みグラントタイプ２：上りリンクグラントは、ＰＤＣＣＨによって提供され、構成済みグラントのアクティブ化または非アクティブ化を示すＬ１シグナリングに基づいて、構成済み上りリンクグラントとして格納または消去される。ＲＲＣは、構成済みグラントの周期性、電力制御、および繰り返しを使用してＵＥを構成することができる。ＣＳ−ＲＮＴＩを使用してスクランブルされたたＰＤＣＣＨによって運ばれるアクティブ化下りリンク制御情報（ＤＣＩ）は、オフセット、時間領域リソース割り当て、周波数領域リソース割り当て、ＵＥ固有のＤＭＲＳ構成、ＭＣＳ／ＴＢＳ値などを示し得る。
【００２５】
構成済みグラントタイプ１およびタイプ２は、サービングセルごとおよびＢＷＰごとに、ＲＲＣによって構成され得る。複数の構成を、異なるサービングセル上で同時にアクティブ化することができる。構成済みグラントタイプ２の場合、アクティブ化と非アクティブ化はサービングセル間で独立であり得る。
【００２６】
５Ｇ  ＮＲでは、上りリンク制御情報（ＵＣＩ）報告がサポートされている。ＮＲでは、ＵＣＩはＰＵＣＣＨとＰＵＳＣＨの両方で報告され得る。ＰＵＣＣＨで報告されるＵＣＩのタイプには、ＨＡＲＱ−ＡＣＫ情報、スケジューリング要求（Scheduling  Request：ＳＲ）、およびＣＳＩが含まれ得る。ＵＥは、ＲＲＣによる専用のＰＵＣＣＨリソース構成を使用して構成され得る。ＰＵＣＣＨリソースは、ＰＵＣＣＨリソースインデックス、周波数ホッピング前の最初の物理リソースブロック（Physical  Resource  Block：ＰＲＢ）のインデックス、あるいは周波数ホッピングがない場合、周波数ホッピング後の最初のＰＲＢのインデックス、スロット内周波数ホッピングのインジケーション、またはＰＵＣＣＨフォーマットの構成を含み得る。ＮＲでは、ＰＵＣＣＨフォーマット０からＰＵＣＣＨフォーマット４までの５つのＰＵＣＣＨフォーマットがサポートされている。以下の表１に示すように、ＰＵＣＣＨフォーマットは、送信シンボルの長さとＵＣＩペイロードビットによって識別することができる。
【００２７】
【表１】
2021534628.tif 000003
【００２８】
ＵＥは、上位層パラメータPUCCH-ResourceSetによって最大４セットのＰＵＣＣＨリソースを構成することができる。ＵＥは、ＵＣＩ情報ビット数ＮＵＣＩのサイズに基づいて、ＰＵＣＣＨリソースセットを決定することができる。１つのＰＵＣＣＨリソースセット以内で、ＵＥは、ＤＣＩによって示されるＰＵＣＣＨリソースインジケータフィールドに基づいてＰＵＣＣＨリソースを決定することができる。
【００２９】
ＵＥは、ＰＵＣＣＨ送信の空間設定を決定するために、PUCCH-Spatialrelationinfoを使用して構成され得る。PUCCH-Spatialrelationinfoは、同期信号ブロック（Synchronization  Signal  Block：ＳＳＢ）インデックス、ＣＳＩ参照信号（CSI  Reference  Signal：ＣＳＩ−ＲＳ）インデックス、サウンディング参照信号（Sounding  Reference  Signal：ＳＲＳ）のうちのいずれかである。PUCCH-SpatialrelationinfoがＳＳＢインデックスまたはＣＳＩ−ＲＳインデックスである場合、ＵＥは、構成済みの同期信号（Synchronization  Signal：ＳＳ）／物理ロードキャストチャネル（Physical  Broadcast  Channel：ＰＢＣＨ）ブロックまたはＣＳＩ−ＲＳの受信用と同じ空間ドメインフィルタを使用して、ＰＵＣＣＨを送信することができる。PUCCH-SpatialrelationinfoがＳＲＳの場合、ＵＥは、構成済みＳＲＳの送信で使用されるものと同じ空間ドメインフィルタを使用して、ＰＵＣＣＨを送信することができる。
【００３０】
ＮＲは、離散フーリエ変換スプレッドＯＦＤＭ（Discrete  Fourier  Transform-spread  OFDM：ＤＦＴ−ｓ−ＯＦＤＭ）波形およびサイクリックプレフィックスＯＦＤＭ（Cyclic  Prefix  OFDM：ＣＰ−ＯＦＤＭ）波形の両方に関して、ＰＵＳＣＨにピギーバックされているＵＣＩをサポートし、同じＵＣＩリソースマッピング原理が、周波数ファーストマッピングのために、ＤＦＴ−ｓ−ＯＦＤＭ波形およびＣＰ−ＯＦＤＭ波形を持つＰＵＳＣＨに用いられ得る。
【００３１】
ピギーバックされたＵＣＩは、ＨＡＲＱ−ＡＣＫ、ＣＳＩパート１およびＣＳＩパート２を含み得る。スロットベースのスケジューリングの場合、異なる長さのＨＡＲＱ−ＡＣＫに対して異なるピギーバック規則を規定することができる。ＨＡＲＱ−ＡＣＫが２ビットを超える場合、ＰＵＳＣＨはレートマッチングされ、ＵＬ共有チャネル（UL-Shared  Channel：ＵＬ−ＳＣＨ）はＨＡＲＱ−ＡＣＫをピギーバックしているリソースエレメント（ＲＥ）の近傍でレートマッチングを実行することができる。ＨＡＲＱ−ＡＣＫが２ビット以下の場合、ＰＵＳＣＨはパンクチャされ得る。すなわち、ＵＬ−ＳＣＨは、まず、利用可能なすべてのリソースにマップされ、その後、ＨＡＲＱ−ＡＣＫが、いくつかの予約済みＲＥ内のＵＬ−ＳＣＨをパンクチャする。周波数ゲインを利用するために、ＨＡＲＱ−ＡＣＫとＣＳＩの両方を、割り当てられたすべてのＰＲＢにわたって分布するようにＲＥにマッピングすることができる。ＬＴＥとは対照的に、ＮＲにおいては、ＨＡＲＱ−ＡＣＫとＣＳＩの両方を、ＰＵＳＣＨ上のトランスポートブロック（ＴＢ）のすべての層にマッピングすることができる。ＬＴＥとのもう１つの相違点は、ＮＲでは、ＬＴＥの固定的ＱＰＳＫ変調ではなく、ＵＣＩの変調次数がＵＬ−ＳＣＨの変調次数に従い得るということである。
【００３２】
ＮＲでは、ピギーバックされたＵＣＩは、フロントロードされたＤＭＲＳシンボルの後にマッピングされ得る。ＤＭＲＳを運ぶシンボル内では、ＦＤＭは許可されていない。フロントロードされたＤＭＲＳシンボルの後の最初の利用可能な非ＤＭＲＳシンボルから始まって最初のＨＡＲＱ−ＡＣＫは、それがピギーバックされている場合、マッピングされ得る。割り当てられた１つのシンボル全体を残りのＨＡＲＱ−ＡＣＫが満たしている場合、それはシンボル全体を占める可能性がある。それ以外の場合、ＨＡＲＱ−ＡＣＫは、そのシンボルに割り当てられたリソース内に分布するように均等にマッピングされ得る。
【００３３】
ＣＳＩパート１は、それがピギーバックされている場合、ＨＡＲＱ−ＡＣＫと同じ規則を使用してマッピングされ得る。ＨＡＲＱ−ＡＣＫとＣＳＩパート１の両方がピギーバックされている場合、ＣＳＩパート１は、２ビットを超える場合と２ビット以下の場合の両方のシナリオで、すでにＨＡＲＱ−ＡＣＫをピギーバックしているＲＥ上にマッピングされない可能性がある。ＨＡＲＱ−ＡＣＫを運んでいるが完全には占有されていないシンボルの場合、ＣＳＩパート１は、まず、未使用のＲＥにマッピングされ、その後、後続のシンボルにマッピングされ得る。
【００３４】
ＣＳＩパート２の場合、ＨＡＲＱ−ＡＣＫが２ビット以下でない限り、すなわち、ＰＵＳＣＨがパンクチャされていない限り、ＣＳＩパート１と同じ規則を適用することができる。このシナリオでは、パンクチャリングのためにＣＳＩパート２を予約済みＨＡＲＱ−ＡＣＫ  ＲＥ上にマッピングし、その後、ＨＡＲＱ−ＡＣＫに、ＣＳＩパート２を、それがピギーバックされている場合、パンクチャさせることができる。
【００３５】
本明細書に記載の実施形態は、従来のグラントフリーシステムにおけるいくつかの問題に対処する。
【００３６】
これらの問題の１つは、グラントフリーＮＯＭＡにおいて、ｇＮＢは、ＵＥがいつＵＬ送信を実行するか、およびＵＥの識別を知らない可能性があるということである。したがって、ｇＮＢは、パケットを受信したときに、まず、ＵＥのアクティビティを識別する（すなわち、どのＵＥがデータを送信したかを決定する）必要があり得る。グラントベースのシナリオでは、ＵＥを専用のＤＭＲＳを用いて構成して、ｇＮＢが対応するＤＭＲＳを検出することによってＵＥを識別できるようにすることができる。しかし、グラントフリーＮＯＭＡにおいては、ＤＭＲＳポート番号が限られているため、ＤＭＲＳとＵＥの間の１対１のマッピングが実行可能でない可能性がある。したがって、複数のＵＥがＤＭＲＳまたはＤＭＲＳプールを共有する必要がある可能性がある。この場合、ｇＮＢが１つのＤＭＲＳを検出すると、ｇＮＢは、どのＵＥがこのＤＭＲＳを使用しているかを認識できない可能性がある。すなわち、ｇＮＢは、どのＵＥがデータを送信しているかを認識できない可能性がある。この問題を解決するために、本明細書では、グラントフリーＮＯＭＡにおけるＵＥの識別のためのメカニズムについて説明する。
【００３７】
もう１つの問題は、現在のタイプ１およびタイプ２のグラントフリー動作において、ＵＥが１つの固定ＭＣＳ値を用いて構成され得るということである。ただし、グラントフリー送信では、ＵＥがＭＣＳ値を自律的に選択できる適応型ＭＣＳが、スペクトル効率を改善するのに役立つ可能性がある。この場合、データを復号化するためにＵＥが使用するＭＣＳレベルをｇＮＢに通知する必要がある可能性がある。適応型ＭＣＳをサポートするために、本明細書では、ＭＣＳの選択と報告のための追加的メカニズムについて説明する。
【００３８】
上記で特定された問題に対する１つの解決策では、ＵＥは、構成済みグラントを使用したＵＬ送信のために、構成済みグラントＰＵＳＣＨ上で構成済みグラントＵＣＩ（ＣＧ−ＵＣＩ）を送信することができる。ＰＵＳＣＨ上でＣＧ−ＵＣＩを送信するために使用されるリソースは、以下を含むがそれらに限定されない手法を使用して、ｇＮＢによって決定され、ＵＥに示され得る。
【００３９】
ＲＲＣ接続状態のＵＥに対するＵＥ固有のＲＲＣ構成メッセージを介する手法、
ＲＲＣ接続状態のＵＥに対するＵＥ固有のＲＲＣ構成とＤＣＩシグナリングとを共に使用する手法、
ＲＲＣ非アクティブ状態のＵＥに対するＵＥ固有のＲＲＣ構成メッセージを介する手法、
ＲＲＣ非アクティブ状態のＵＥに対するグループ固有のＲＲＣ構成メッセージを介する手法、および
ＲＲＣアイドル状態のＵＥに対するセル固有のＲＲＣ構成メッセージを介する手法。
さらに、複数のＮＯＭＡ  ＵＥは、以下を含むがそれらに限定されない手法を使用して、同じ構成済みグラント内でＣＧ−ＵＣＩを同時に送信することができる。
グループ固有のスクランブリングを用いる手法、
グループ固有のシンボルレベルの拡散を用いる手法、
グループ固有のオフセットを使用したビットレベルのインターリービングを用いる手法、および
ＦＤＭ化または周波数領域インターレースされたリソースを用いる手法。
ＵＥは、専用構成を介して構成された構成済みグラントＰＵＣＣＨ上でＣＧ−ＵＣＩを送信することができる。
ＵＥは、以下を含むがそれらに限定されない手法を使用して、ＣＧ−ＵＣＩシグナリングを介してＵＥ  ＩＤを示すことができる。
ＲＲＣ接続状態のＵＥのＣＳ−ＲＮＴＩを示す手法、
ＲＲＣ非アクティブ状態のＵＥのＩ−ＲＮＴＩを示す手法、
ＲＲＣアイドル状態のＵＥのＩＭＳＩまたはＤＭＳＩを示す手法、および
グループ内のローカルＩＤと使用されるＤＭＲＳとを共に使用する手法。
【００４０】
上記で特定された問題に対する別の解決策では、ＵＥは、デフォルトのＭＣＳ値を用いて構成されることができ、それを自律的に選択して、構成済みグラントを使用して、ＵＬ送信のために構成されたＭＣＳを上書きすることができる。ＵＥは、以下を含むがそれらに限定されない手法を使用して、ＣＧ−ＵＣＩシグナリングを介してデフォルトのＭＣＳ値を上書きするかを示すことができる。
【００４１】
ＣＧ−ＵＣＩビットを介した明示的なインジケーション、および
２つの異なるＣＧ−ＵＣＩビット長を用いた暗黙的なインジケーション。
【００４２】
ＵＥは、ＭＣＳ値を自律的に選択することができ、以下を含むがそれらに限定されない手法を使用して、ＣＧ−ＵＣＩシグナリングを介して構成されたグラントを使用したＵＬ送信のために選択されたＭＣＳ値をｇＮＢに示すことができる。
【００４３】
選択されたＭＣＳインデックスを明示的に示す手法、および
選択されたＭＣＳ値と構成済み参照ＭＣＳインデックスの間のインデックスの相違を示す手法。
【００４４】
図２Ａおよび２Ｂは、ＵＥがｇＮＢによってＣＧを用いて構成されるＮＲの例を提供する。ＣＧは、動的グラントなしでＵＬ送信のためにＵＥによって使用され得るＰＵＳＣＨリソース（ＣＧ−ＰＵＳＣＨ）を示し得る。
【００４５】
図２Ａは、ＰＵＳＣＨマッピングタイプＡ２００を持つＣＧの例を示す。図２Ａは、周波数／ＢＷＰ２０１、および時間領域におけるスロットｎ２０２を示す。スロットｎ２０２は、時間領域内の１４個のシンボル２０４を含む。図２Ａはまた、それぞれが周波数／ＢＷＰ２０１領域内の１２個のサブキャリア／リソースエレメント（ＲＥ）および時間領域内のシンボル２０４を含む複数のリソースブロック（ＲＢ）２０３を示す。図２Ａに示すように、ＣＧ２１０は複数のＲＥを含む。ＣＧ２１０は、ＣＧ−ＰＵＳＣＨ２１１のＲＥ、およびＣＧ−ＰＵＳＣＨ２１２のＤＭＲＳのＲＥを含む。
【００４６】
図２Ｂは、ＰＵＳＣＨマッピングタイプＢを持つＣＧの例を示す。図２Ｂは、周波数／ＢＷＰ２２１、および時間領域におけるスロットｎ２２２を示す。スロットｎ２２２は、時間領域内の１４個のシンボル２２４を含む。図２Ｂはまた、それぞれが周波数／ＢＷＰ２２１領域内の１２個のサブキャリア／ＲＥおよび時間領域内のシンボル２２４と含む複数のＲＢ２２３を示す。図２Ｂに示すように、ＣＧ２３０は、複数のＲＥを含む。ＣＧ２３０は、ＣＧ−ＰＵＳＣＨ２３１のＲＥ、およびＣＧ−ＰＵＳＣＨ２３２のＤＭＲＳのＲＥを含む。
【００４７】
図２ＡのＣＧ２１０は、時間領域のシンボル０から始まるのに対し、図２ＢのＣＧ２３０は、時間領域のシンボル７から始まる。
【００４８】
一実施形態によれば、ＵＥは、図２Ａおよび２ＢのＣＧ例などのＣＧを使用して、ＵＬ送信のためのＣＧ−ＵＣＩを送信することができる。ＣＧ−ＵＣＩは、ＣＧによって構成されたＰＵＳＣＨ上で送信され得る。ＰＵＳＣＨ内でＣＧ−ＵＣＩを送信するために使用されるリソースは、事前に指定されるか構成され、ＵＥにシグナリングされ得る。例えば、構成済みグラントタイプ１を有するＲＲＣ接続状態のＵＥの場合、ＵＥは、ＣＧ−ＵＣＩの送信に使用されるシンボルの数を設定するために、ＲＲＣパラメータConfiguredGrantUCILengthを使用して構成され得る。ＲＲＣパラメータConfiguredGrantUCILengthは、ＲＲＣ情報エレメントConfiguredGrantConfigによって運ばれ得る。以下は、ＲＲＣのConfiguredGrantUCILengthを使用したＲＲＣ構成の例である。
【００４９】
--  ASN1START
--  TAG-  CONFIGUREDGRANTCONFIG  -START
ConfiguredGrantUCILength  ::=                      INTEGER      (1..2)
--  TAG-  CONFIGUREDGRANTCONFIG  -STOP
--  ASN1STOP
【００５０】
構成済みグラントタイプ２を有するＲＲＣ接続状態のＵＥの場合、ＵＥは、ＣＧ−ＵＣＩの送信に使用されるシンボルの数を設定するために、ＲＲＣパラメータConfiguredGrantUCILengthを使用して構成され得る。代替的または追加的に、１ビットフィールドＣＧ−ＵＣＩ長さインジケータが、ＣＧ−ＵＣＩを送信するために使用されるシンボルの数を示すために、ＣＳ−ＲＮＴＩを使用してスクランブルされた巡回冗長検査（Cyclic  Redundancy  Check：ＣＲＣ）符号を持つアクティブ化ＤＣＩを介してＵＥにシグナリングされ得る。ＤＣＩフィールドＣＧ−ＵＣＩ長さインジケータの例を下記の表２に示す。ＵＥが、ＤＣＩフィールドＣＧ−ＵＣＩ長さインジケータによって「０」であると示された場合、ＵＥは、使用すべきリソースを決定することができ、そのリソースは、構成済みグラントによって構成されたＰＵＳＣＨ上でＣＧ−ＵＣＩを送信するための１つのシンボルを含み得る。
【００５１】
それ以外の場合、ＵＥは２つのシンボルを使用することができる。
【００５２】
【表２】
2021534628.tif 000004
【００５３】
ＲＲＣ非アクティブ状態のＵＥの場合、ＵＥは、ＣＧ−ＵＣＩの送信に使用されるシンボルの数を設定するために、ＲＲＣパラメータConfiguredGrantInactiveUCILengthを使用して構成され得る。
【００５４】
一例によれば、ＲＲＣパラメータConfiguredGrantInactiveUCILengthは、ＵＥがＲＲＣ接続状態からＲＲＣ非アクティブ状態への移行を実行する前に、ＵＥ固有のＲＲＣ構成を介して構成され得る。この例は、構成済みグラントタイプ１およびタイプ２を使用して構成されたＵＥに適用可能である。例えば、ＲＲＣパラメータConfiguredGrantInactiveUCILengthは、ＲＲＣ非アクティブ状態のリソースおよび関連パラメータを示すＲＲＣ構成ConfiguredGrantInactiveConfigを介して、またはＵＥをトリガしてＲＲＣ接続状態からＲＲＣ非アクティブ状態に切り替えるためにｇＮＢが使用するＲＲＣメッセージRRCReleaseを介して構成され得る。この場合、ＵＥコンテキストに関連するＲＲＣ非アクティブ状態構成は、ＵＥとｇＮＢの両方に格納する必要があり得る。
【００５５】
別の例では、ＲＲＣパラメータConfiguredGrantInactiveUCILengthは、ＲＲＣ非アクティブ状態における共通または共有チャネル上のブロードキャストメッセージ、例えば、ＯＳＩ、残存最小システム情報（ＲＭＳＩ）などを介して構成され得る。このアプローチは、構成済みグラントタイプ１およびタイプ２を使用して構成されたＵＥに適用可能である。
【００５６】
さらに別の例では、ＣＧ−ＵＣＩを送信するために使用されるリソースは、INACTIVEGROUP-RNTIによってスクランブルされた共通の探索空間で、ＤＣＩによって、ＲＲＣ非アクティブ状態のＵＥのグループにシグナリングされ得る。このアプローチは、構成済みグラントタイプ２を使用して構成されたＵＥに適用可能である。以下は、ＲＲＣのConfiguredGrantInactiveUCILengthを使用したＲＲＣ構成の例である。
【００５７】
--  ASN1START
--  TAG-  CONFIGUREDGRANTINACTIVECONFIG  -START
ConfiguredGrantInactiveUCILength  ::=                      INTEGER      (1..2)
--  TAG-  CONFIGUREDGRANTINACTIVECONFIG  -STOP
--  ASN1STOP
【００５８】
ＲＲＣアイドル状態で動作中のＵＥの場合、ＣＧ−ＵＣＩを送信するために使用されるリソースは、共通または共有チャネル上のブロードキャストメッセージを介して構成され得る。例えば、ＲＲＣパラメータConfiguredGrantIdleUCILengthは、他システム情報（ＯＳＩ）またはＲＭＳＩを介して構成され得る。以下は、ＲＲＣのConfiguredGrantIdleUCILengthを使用したＲＲＣ構成の例である。
【００５９】
--  ASN1START
--  TAG-  CONFIGUREDGRANTIDLECONFIG  -START
ConfiguredGrantIdleUCILength  ::=                            INTEGER      (1..2)
--  TAG-  CONFIGUREDGRANTIDLECONFIG  -STOP
--  ASN1STOP
【００６０】
2021534628.tif 000005
【００６１】
【数１】
2021534628.tif 000006
【００６２】
2021534628.tif 000007
【００６３】
ＵＥは、初期送信および繰り返しの両方を含むＣＧを使用して、上りリンク送信でＣＧ−ＵＣＩを送信することができる。構成済みグラントＰＵＳＣＨにおいてＣＧ−ＵＣＩを送信するためにＵＥによって使用されるシンボルに対して、以下に説明するような手法を適用することができる。
【００６４】
図３Ａは、ＰＵＳＣＨマッピングタイプＡを持つＵＥが、本明細書に記載の実施形態のいずれかと組み合わせて使用することができる一実施形態に従って、構成済みグラント３００のＰＵＳＣＨ上でＣＧ−ＵＣＩを送信する例を示す。図３Ａは、周波数／ＢＷＰ３０１、および時間領域におけるスロットｎ３０２を示す。スロットｎ３０２は、時間領域内の１４個のシンボル３０４を含む。図３Ａはまた、それぞれが周波数／ＢＷＰ３０１領域内の１２個のサブキャリア／ＲＥおよび時間領域内のシンボル３０４を含む複数のＲＢ３０３を示す。図３Ａに示すように、ＣＧ３１０は複数のＲＥを含む。ＣＧ３１０は、ＣＧ−ＰＵＳＣＨ３１１のＲＥ、およびＣＧ−ＰＵＳＣＨ３１２のＤＭＲＳのＲＥを含む。図３Ａの例では、ＵＥは、ＣＧ−ＰＵＳＣＨ３１２のためにフロントロードされたＤＭＲＳの後のＣＧ３１０内の最初の利用可能なシンボルから始まる変調されたＣＧ−ＵＣＩシンボル３１３をマッピングし得る。
【００６５】
図３Ｂは、ＰＵＳＣＨマッピングタイプＢを持つＵＥが、本明細書に記載の実施形態のいずれかと組み合わせて使用することができる一実施形態に従って、構成済みグラントのＰＵＳＣＨ上でＣＧ−ＵＣＩを送信する例を示す。図３Ｂは、周波数／ＢＷＰ３２１、および時間領域におけるスロットｎ３２２を示す。スロットｎ３２２は、時間領域内の１４個のシンボル３２４を含む。図３Ｂはまた、それぞれが周波数／ＢＷＰ３２１領域内の１２個のサブキャリア／ＲＥおよび時間領域内のシンボル３２４を含む複数のＲＢ３２３を示す。図３Ｂに示すように、ＣＧ３３０は複数のＲＥを含む。ＣＧ３３０は、ＣＧ−ＰＵＳＣＨ３３１のＲＥ、およびＣＧ−ＰＵＳＣＨ３３２のＤＭＲＳのＲＥを含む。図３Ｂの例では、ＵＥは、ＣＧ−ＰＵＳＣＨ３３２のためにフロントロードされたＤＭＲＳの後のＣＧ内の最初の利用可能なシンボルから始まる変調されたＣＧ−ＵＣＩシンボル３３３をマッピングし得る。
【００６６】
図３Ａと図３Ｂのいずれかの例のＵＥが、ピギーバックすべきＡＣＫまたはＣＳＩをＰＵＳＣＨ上に有している場合、ＵＥは、ＡＣＫおよびＣＳＩをＣＧ−ＵＣＩを運んでいるシンボルにマッピングしない可能性があり、ＵＥは、変調されたＨＡＲＱ−ＡＣＫシンボルを、フロントロードされたＤＭＲＳの後のＤＭＲＳまたはＣＧ−ＵＣＩを運んでいない最初の利用可能なシンボルから始まるシンボルにマッピングする可能性がある。例えば、フロントロードされたＤＭＲＳがシンボルｋ上で送信される場合、変調されたＣＧ−ＵＣＩシンボルはシンボルｋ＋１からシンボルｋ＋ｎにマッピングされ得る。ただし、ｎは、ＣＧ−ＵＣＩを送信するために使用されるシンボルの数である。変調されたＨＡＲＱ−ＡＣＫシンボルは、シンボルｋ＋ｎ+１から始まるシンボルにマッピングされ得る。
【００６７】
図４Ａは、ＰＵＳＣＨマッピングタイプＡを持つＵＥが、本明細書に記載の実施形態のいずれかと組み合わせて使用することができる一実施形態に従って、構成済みグラント４００のＰＵＳＣＨ上でＣＧ−ＵＣＩを送信する別の例を示す。図４Ａは、周波数／ＢＷＰ４０１、および時間領域におけるスロットｎ４０２を示す。スロットｎ４０２は、時間領域内の１４個のシンボル４０４を含む。図４Ａはまた、それぞれが周波数／ＢＷＰ４０１領域内の１２個のサブキャリア／ＲＥおよび時間領域内のシンボル４０４を含む複数のＲＢ４０３を示す。図４Ａに示すように、ＣＧ４１０は複数のＲＥを含む。ＣＧ４１０は、ＣＧ−ＰＵＳＣＨ４１１のＲＥ、およびＣＧ−ＰＵＳＣＨ４１２のＤＭＲＳのＲＥを含む。図４Ａの例では、ＵＥは、ＣＧ−ＰＵＳＣＨ４１１の最初のシンボルから始まる変調されたＣＧ−ＵＣＩシンボル４１３をマッピングし得る。例えば、ＵＥが、ＣＧ−ＵＣＩ４１３を送信するためのｎ個のシンボルを使用して構成されている場合、ＵＥは、ＣＧ−ＰＵＳＣＨ４１１のシンボル０からシンボルｎ−１でＣＧ−ＵＣＩ４１３を送信し得る。この場合、ＵＥがピギーバックすべきＨＡＲＱ−ＡＣＫを有していれば、ＵＥは、変調されたＨＡＲＱ−ＡＣＫシンボルを、ＣＧ−ＰＵＳＣＨ４１２のためにフロントロードされたＤＭＲＳの後またはＣＧ−ＵＣＩ４１３の後の最初のＤＭＲＳを運んでいない最初の利用可能なシンボルから始まるシンボルにマッピングし得る。ＵＥがピギーバックすべきＣＳＩを有している場合、ＵＥは、ＣＳＩパート１とＣＳＩパート２のうちの少なくとも一方を、ＣＧ−ＵＣＩ４１３を運んでいるシンボルにマッピングしない可能性がある。ＵＥは、変調されたＣＳＩパート１とＣＳＩパート２のうちの少なくとも一方のシンボルを、ＣＧ−ＰＵＳＣＨ４１２のためにロードされたＤＭＲＳを運んでいない最初の利用可能なシンボルから始まる、またはＣＧ−ＵＣＩ４１３の後のシンボルにマッピングし得る。
【００６８】
図４Ｂは、ＰＵＳＣＨマッピングタイプＡを持つＵＥが、本明細書に記載の実施形態のいずれかと組み合わせて使用することができる一実施形態に従って、構成済みグラントのＰＵＳＣＨ上でＣＧ−ＵＣＩを送信する別の例を示す。図４Ｂは、周波数／ＢＷＰ４２１、および時間領域におけるスロットｎ４２２を示す。スロットｎ４２２は、時間領域内の１４個のシンボル４２４を含む。図４Ｂはまた、それぞれが周波数／ＢＷＰ４２１領域内の１２個のサブキャリア／ＲＥおよび時間領域内のシンボル４２４を含む複数のＲＢ４２３を示す。図４Ｂに示すように、ＣＧ４３０は複数のＲＥを含む。ＣＧ４３０は、ＣＧ−ＰＵＳＣＨ４３１のＲＥ、およびＣＧ−ＰＵＳＣＨ４３２のＤＭＲＳのＲＥを含む。図４Ｂの例では、ＵＥは、変調されたＣＧ−ＵＣＩシンボル４３３を、ＣＧ−ＰＵＳＣＨ４３２のためにフロントロードされた最初のＤＭＲＳの前に隣接するシンボルにマッピングし得る。例えば、ＣＧ−ＰＵＳＣＨ４３２のためにフロントロードされたＤＭＲＳがシンボルｋ上で送信される場合、変調されたＣＧ−ＵＣＩシンボル４３３はシンボルｋ−ｎからシンボルｋ−１にマッピングされ得る。ただし、ｎは、ＣＧ−ＵＣＩ４３３を送信するために使用されるシンボルの数である。この場合、ＵＥがピギーバックすべきＨＡＲＱ−ＡＣＫを有していれば、ＵＥは、変調されたＨＡＲＱ−ＡＣＫシンボルを、ＣＧ−ＰＵＳＣＨ４３２のためのＤＭＲＳの後の最初の利用可能なシンボルから始まるシンボルにマッピングし得る。ＵＥがピギーバックすべきＣＳＩを有している場合、ＵＥは、ＣＳＩパート１とＣＳＩパート２のうちの少なくとも一方を、ＣＧ−ＵＣＩ４３３を運んでいるシンボルにマッピングしない可能性がある。ＵＥは、変調されたＣＳＩパート１とＣＳＩパート２のうちの少なくとも一方のシンボルを、ＣＧ−ＰＵＳＣＨ４３２のためにロードされたＤＭＲＳを運んでいない最初の利用可能なシンボルから始まる、またはＣＧ−ＵＣＩ４３３の後のシンボルにマッピングし得る。
【００６９】
図５は、本明細書に記載の実施形態のいずれかと組み合わせて使用することができる一実施形態による変調ＣＧ−ＵＣＩシンボル生成５００のデータフローの例を示す。この例では、ＰＵＳＣＨ上のＣＧ−ＵＣＩは、ＮＯＭＡのＣＧによって構成され得る。図５を参照すると、ＣＧ−ＵＣＩペイロードビットが生成され得（ステップ５０１）、巡回冗長検査（ＣＲＣ）パリティビットが生成され得（ステップ５０２）、続いてＣＧ−ＵＣＩペイロードのビットにＣＲＣパリティビットが付加され得る（ステップ５０３）。出力ビットシーケンスは、ポーラーコードによって符号化され得（ステップ５０４）、長さＥ＿ｔｏｔを有する出力シーケンスにレートマッチングされ得る（ステップ５０５）。レートマッチング出力ビットシーケンスは、三角形インターリーバによってインターリーブされ得る（ステップ５０６）。インターリービング出力シーケンスは、変調の前にスクランブルされ得る（ステップ５０７）。変調（ステップ５０８）後は、変調されたシンボルは、ＣＧ−ＵＣＩを送信するためのリソースにマッピングされ得る（ステップ５０９）。
【００７０】
グラントフリーＮＯＭＡにおいては、複数のＵＥが、同じ構成済みグラントリソースを使用して同時にＵＬ送信を実行することができる。したがって、システムは、複数のＵＥによって同時に送信されたＣＧ−ＵＣＩを復号化することができる可能性がある。ＣＧ−ＵＣＩ送信のロバスト性を向上するために、ＮＯＭＡ  ＵＥは、以下を含むがそれらに限定されない手法を使用してＣＧ−ＵＣＩを送信することができる。
【００７１】
2021534628.tif 000008
【００７２】
【数２】
2021534628.tif 000009
【００７３】
2021534628.tif 000010
【００７４】
2021534628.tif 000011
【００７５】
図６は、本明細書に記載の実施形態のいずれかと組み合わせて使用することができる一実施形態による、グループ固有のスクランブリング６００を用いた変調ＣＧ−ＵＣＩシンボル生成のためのデータフローの例を示す。図６を参照すると、ＣＧ−ＵＣＩペイロードビットが生成され得（ステップ６０１）、ＣＲＣパリティビットが生成され得（ステップ６０２）、続いてＣＧ−ＵＣＩペイロードのビットにＣＲＣパリティビットが付加され得る（ステップ６０３）。出力ビットシーケンスは、ポーラーコードによって符号化され得（ステップ６０４）、長さＥ＿ｔｏｔを有する出力シーケンスにレートマッチングされ得る（ステップ６０５）。レートマッチング出力ビットシーケンスは、三角形インターリーバによってインターリーブされ得る（ステップ６０６）。インターリービング出力シーケンスは、上記のようにグループ固有のスクランブルで変調される前にスクランブルされ得る（ステップ６０７）。変調（ステップ６０８）後は、変調されたシンボルは、ＣＧ−ＵＣＩを送信するためのリソースにマッピングされ得る（ステップ６０９）。
【００７６】
2021534628.tif 000012
【００７７】
ＤＭＲＳと拡散符号の間の１対１の関連付けを使用することができる。ここでのＤＭＲＳは、ＤＭＲＳポートまたは特定の初期化子または特定のサイクリックシフトを有するＤＭＲＳポートを指し得る。一例では、ＵＥの１つのグループは、同じＤＭＲＳポートを用いて構成され得る。同じＤＭＲＳポートを用いて構成されたＵＥは、同じ拡散符号を用いて構成され得る。
【００７８】
別の例では、異なる初期化子または異なるサイクリックシフトがそれぞれ各グループに構成されているＵＥの複数のグループは、同じＤＭＲＳポートを用いて構成され得る。ＵＥは同じＤＭＲＳポートを用いて構成され得、同じ初期化子／サイクリックシフトは同じ拡散符号を用いて構成され得る。
【００７９】
2021534628.tif 000013
【００８０】
図７は、本明細書に記載の実施形態のいずれかと組み合わせて使用することができる一実施形態による、シンボルレベル拡散７００を用いた変調ＣＧ−ＵＣＩシンボル生成のためのデータフローの例を示す。図７を参照すると、ＣＧ−ＵＣＩペイロードビットが生成され得（ステップ７０１）、ＣＲＣパリティビットが生成され得（ステップ７０２）、続いてＣＧ−ＵＣＩペイロードのビットにＣＲＣパリティビットが付加され得る（ステップ７０３）。出力ビットシーケンスは、ポーラーコードによって符号化され得（ステップ７０４）、長さＥ＿ｔｏｔを有する出力シーケンスにレートマッチングされ得る（ステップ７０５）。レートマッチング出力ビットシーケンスは、三角形インターリーバによってインターリーブされ得る（ステップ７０６）。インターリービング出力シーケンスは、シンボル拡散の前にスクランブルされ得る（ステップ７０７）。スクランブルされた出力シーケンスは、上記のような変調の前に、ＵＥ固有またはグループ固有の拡散符号を用いて、異なるシンボルレベル拡散符号で変調および拡散され得る（ステップ７０８）。シンボル拡散（ステップ７０８）の後、拡散されたシンボルは、ＣＧ−ＵＣＩを送信するためのリソースにマッピングされ得る（ステップ７０９）。
【００８１】
2021534628.tif 000014
【００８２】
2021534628.tif 000015
【００８３】
2021534628.tif 000016
【００８４】
【数３】
2021534628.tif 000017
【００８５】
2021534628.tif 000018
【００８６】
2021534628.tif 000019
【００８７】
2021534628.tif 000020
【００８８】
2021534628.tif 000021
【００８９】
2021534628.tif 000022
【００９０】
2021534628.tif 000023
【００９１】
2021534628.tif 000024
【００９２】
2021534628.tif 000025
【００９３】
2021534628.tif 000026
【００９４】
2021534628.tif 000027
【００９５】
図８は、本明細書に記載の実施形態のいずれかと組み合わせて使用することができる一実施形態による、ビットレベルインターリービング８００を用いた変調ＣＧ−ＵＣＩシンボル生成のためのデータフローの例を示す。図８を参照すると、ＣＧ−ＵＣＩペイロードビットが生成され得（ステップ８０１）、ＣＲＣパリティビットが生成され得（ステップ８０２）、続いてＣＧ−ＵＣＩペイロードのビットにＣＲＣパリティビットが付加され得る（ステップ８０３）。出力ビットシーケンスは、ポーラーコードによって符号化され得（ステップ８０４）、長さＥ＿ｔｏｔを有する出力シーケンスにレートマッチングされ得る（ステップ８０５）。レートマッチング出力ビットシーケンスは、上記のように、異なるビットレベルインターリーバによってインターリーブされ得る（ステップ８０６）。インターリービング出力シーケンスは、変調の前にスクランブルされ得る（ステップ８０７）。変調（ステップ８０８）後は、変調されたシンボルは、ＣＧ−ＵＣＩを送信するためのリソースにマッピングされ得る（ステップ８０９）。
【００９６】
（４）ＣＧ−ＵＣＩを送信するために同じ構成済みグラントを使用して構成されたＵＥによって同じシンボルが使用されることができ、異なるＵＥのためのリソースは、シンボル内で周波数分割多重化（ＦＤＭ化）またはインターレースされ得る。
【００９７】
図９Ａは、本明細書に記載の実施形態のいずれかと組み合わせて使用することができる一実施形態による、周波数分割多重化９００されたＣＧ−ＵＣＩを送信するためのリソースの例の図を示す。図９Ａは、周波数領域におけるＲＢｋ９０１およびＲＢｋ＋１９０２、ならびに時間領域におけるスロットｎ９０３を示す。スロットｎ９０３は、時間領域内の１４個のシンボル９０４を含む。図９Ａは、ＵＥ１のＤＭＲＳとＵＥ２  ９１２のＤＭＲＳのＲＥを示す。図９Ａの例では、ＵＥ１は、変調されたＣＧ−ＵＣＩシンボル９１１を周波数領域のＲＢｋ＋１９０２にマッピングすることができ、ＵＥ２は、変調されたＣＧ−ＵＣＩシンボル９１０を周波数領域のＲＢｋ９０１にマッピングすることができる。この例では、ＵＥ１とＵＥ２は異なるＤＭＲＳを使用することもできる。この周波数分割多重化（ＦＤＭ化）の例では、ＵＥは、開始ＲＢインデックスおよび割り当てられたＲＢの数を用いて構成され得る。
【００９８】
図９Ｂは、本明細書に記載の実施形態のいずれかと組み合わせて使用することができる一実施形態によるＣＧ−ＵＣＩを送信するためのリソースの例の図を示す。ここでは、ＵＥのために構成された周波数リソースがＲＥレベルでインターレースされ得る。図９Ｂは、周波数領域におけるＲＢｋ９２１およびＲＢｋ＋１９２２、ならびに時間領域におけるスロットｎ９２３を示す。スロットｎ９２３は、時間領域内の１４個のシンボル９２４を含む。図９Ｂは、ＵＥ１のＤＭＲＳとＵＥ２  ９３２のＤＭＲＳのＲＥを示す。図９Ｂの例では、ＵＥ１は、変調されたＣＧ−ＵＣＩシンボル９３１を周波数領域のＲＢｋ９２１とＲＢｋ＋１９２２に、ＲＥレベルでインターレースすることによってマッピングすることができる。同様に、ＵＥ２は、変調されたＣＧ−ＵＣＩシンボル９３０を周波数領域のＲＢｋ９２１とＲＢｋ＋１９２２に、ＲＥレベルでインターレースすることによってマッピングすることができる。この例では、ＵＥ１とＵＥ２は異なるＤＭＲＳを使用することもできる。インターレースは、ブロックレベルで行うことができ、１つのブロックは、複数のＲＥ、１つのＲＢ、または複数のＲＢであり得る。ＵＥは、ＣＧ−ＵＣＩ送信のためのグループ固有のリソースを使用して構成され得る。このインターレースの解決策では、ＵＥは、インターレースのサイズ、例えば、ＲＥの数、インターレースの総数、およびインターレースインデックスまたはオフセット値を用いて構成され得る。ＵＥは、構成されたインターレースサイズおよびインターレース総数を使用して、候補インターレースパターンを決定することができる。その後、ＵＥは、構成されたインターレースインデックスまたはオフセット値に基づいて、どのインターレースを使用するかを決定することができる。
【００９９】
図５の例に示すように、ＵＥは、変調されたＣＧ−ＵＣＩシンボルを生成することができ、変調されたＣＧ−ＵＣＩシンボルを構成されたリソースにマッピングすることができる。ＤＭＲＳとＦＤＭ化またはインターレースされたＣＧ−ＵＣＩを送信するためのリソースの間の１対１の関連付けが使用され得る。ここでのＤＭＲＳは、ＤＭＲＳポートまたは特定の初期化子または特定のサイクリックシフトを有するＤＭＲＳポートを指し得る。
【０１００】
一例では、ＵＥの１つのグループは、同じＤＭＲＳポートを用いて構成され得る。同じＤＭＲＳポートを用いて構成されたＵＥは、同じＦＤＭ化またはインターレースされたリソースを用いて構成され得る。
【０１０１】
別の例では、異なる初期化子または異なるサイクリックシフトがそれぞれ各グループに構成されているＵＥの複数のグループは、同じＤＭＲＳポートを用いて構成され得る。同じＤＭＲＳポートと同じ初期化子／サイクリックシフトを用いて構成されたＵＥは、同じＦＤＭ化またはインターレースされたリソースを用いて構成され得る。
【０１０２】
2021534628.tif 000028
【０１０３】
（１）ＵＥは、ＲＲＣ構成を介してＣＧ−ＵＣＩシグネチャを用いて構成され得る。
【０１０４】
2021534628.tif 000029
【０１０５】
ＲＲＣ接続状態のＵＥの場合、ＣＧ−ＵＣＩシグネチャはＵＥ固有のＲＲＣを介して構成され得る。
【０１０６】
ＲＲＣ非アクティブ状態のＵＥの場合、ＣＧ−ＵＣＩシグネチャは、ＵＥがＲＲＣ接続状態からＲＲＣ非アクティブ状態への移行を実行する前に、ＵＥ固有のＲＲＣ構成を介して、またはＲＲＣ非アクティブ状態の共通または共有チャネル上の、すなわち、ＲＲＣ非アクティブ状態のＵＥのグループに対してINACTIVE-RNTIによってスクランブルされた共通の探索空間でＤＣＩによって示される共有チャネルＰＤＳＣＨ上で運ばれるブロードキャストメッセージを介して、構成され得る。そのようなリソースは、特定の期間（例えば、Ｍ個のシンボルまたはスロット）および各ＢＷＰ（例えば、初期ＢＷＰ、デフォルトＢＷＰ、または非アクティブ状態に対して構成またはアクティブ化されたアクティブＢＷＰ）に対して、時間的に周期的（例えば、Ｎ個のサブフレームごと、スロットごと、または非スロットベースのシンボルごと）であり得る。
【０１０７】
別の例では、ＵＥは、ＲＲＣ構成を介したＤＭＲＳとＣＧ−ＵＣＩシグネチャの間のマッピングを用いて構成され得る。ここでのＤＭＲＳは、ＤＭＲＳポートまたは特定の初期化子またはサイクリックシフトを有するＤＭＲＳポートを指し得る。マッピングは、ＤＭＲＳとＣＧ−ＵＣＩシグネチャの間の１対１の関連付けであり得る。ＵＥは、例えば、すべての可能なＤＭＲＳ、またはＮＯＭＡ送信のために構成されたＤＭＲＳプール内のＤＭＲＳなどの複数のＤＭＲＳのためのマッピング／関連付けを用いて構成され得る。ＵＥが１つのＤＭＲＳを用いて構成されている場合、または構成済みＤＭＲＳプールからランダムに１つのＤＭＲＳを選択する場合、ＵＥは、構成済みのマッピング／関連付けに基づいて、使用すべきＣＧ−ＵＣＩシグネチャを決定することができる。
【０１０８】
ＲＲＣ接続状態のＵＥの場合、マッピング／関連付けは、ＵＥ固有のＲＲＣを介して構成され得る。
【０１０９】
ＲＲＣ非アクティブ状態のＵＥの場合、マッピング／関連付けは、ＵＥがＲＲＣ接続状態からＲＲＣ非アクティブ状態への移行を実行する前に、ＵＥ固有のＲＲＣ構成を介して、またはＲＲＣ非アクティブ状態の共通または共有チャネル上の、すなわち、ＲＲＣ非アクティブ状態のＵＥのグループに対してINACTIVE-RNTIによってスクランブルされた共通の探索空間でＤＣＩによって示される共有チャネルＰＤＳＣＨ上で運ばれるブロードキャストメッセージを介して、構成され得る。
【０１１０】
ＲＲＣアイドル状態のＵＥの場合、マッピング／関連付けは、ＯＳＩ、ＲＭＳＩなどのブロードキャストメッセージを介して構成され得る。
【０１１１】
2021534628.tif 000030
【０１１２】
ＣＧ−ＵＣＩは、構成済みグラントによって構成されたＰＵＣＣＨ上で送信され得る。ＵＥは、専用構成を介してＣＧ−ＵＣＩを送信するために構成されたＰＵＣＣＨを使用して構成され得る。
【０１１３】
ＲＲＣ接続状態のＵＥの場合、構成は、ＲＲＣ構成を介して、例えば、ＲＲＣ情報エレメントConfiguredGrantPUCCHConfigを介して構成され得る。あるいは、構成は、ＣＳ−ＲＮＴＩを使用してスクランブルされたＣＲＣを用いて、ＤＣＩによってシグナリングされ得る。
【０１１４】
ＲＲＣ非アクティブ状態のＵＥの場合、構成は、ＵＥがＲＲＣ接続状態からＲＲＣ非アクティブ状態への移行を実行する前に、ＲＲＣ構成、例えば、ＵＥ固有のＲＲＣ構成を介して、または、ＲＲＣ非アクティブ状態における共通または共有チャネル上のブロードキャストメッセージを介して設定され得る。あるいは、構成は、ＲＲＣ非アクティブ状態のＵＥのグループに対してINACTIVE-RNTIによってスクランブルされた共通の探索空間でＤＣＩによってシグナリングされ得る。
【０１１５】
ＲＲＣアイドル状態のＵＥの場合、構成は、共通または共有チャネル上のブロードキャストメッセージを介して、例えば、ＯＳＩまたはＲＭＳＩを介して設定され得る。
【０１１６】
構成済みグラントＰＵＣＣＨの構成は、以下を含むがそれらに限定されないパラメータを含み得る。
【０１１７】
（１）構成済みグラントＰＵＣＣＨの周期性、
（２）構成済みグラントＰＵＣＣＨのオフセット、例えば、サブフレーム境界に対応する構成済みグラントＰＵＣＣＨのスロットオフセット、
（３）時間リソース割り当て、例えば、開始シンボルおよびシンボルの長さ、
（４）周波数リソース割り当て、例えば、開始ＰＲＢおよびＰＲＢの数、
（５）ＤＭＲＳ構成、例えば、ＤＭＲＳポートインデックスや、ＤＭＲＳシーケンスを初期化するために使用されるパラメータ、
（６）電力制御、例えば、アルファセット（Alpha  set）のインデックスおよびp0-PUCCH-Alphaのインデックス、
（７）変調次数、例えば、ＱＰＳＫ、２位相偏移変調（Binary  Phase-Shift  Keying：ＢＰＳＫ）、および
（８）ＣＧ−ＵＣＩシグネチャ、例えば、拡散シーケンス、スクランブリングシーケンスまたはインターリービングオフセットを初期化するために使用されるパラメータ。
【０１１８】
構成済みグラントタイプ１のＵＥの場合、構成済みグラントＰＵＣＣＨは、それがＵＥ用に構成されると、アクティブ化されることができ、それ以上のアクティブ化は必要ない。構成済みグラントタイプ２のＵＥの場合、構成済みグラントＰＵＣＣＨは、ＵＥがアクティブ化ＤＣＩ、例えば、ＲＲＣ接続状態のＵＥのためのＣＳ−ＲＮＴＩを使用してスクランブルされたか、または、INACTIVEGROUP-RNTIを使用して、ＲＲＣ非アクティブ状態のＵＥのグループに対してスクランブルされた、ＣＲＣを伴うアクティブ化ＤＣＩを受信したときに、アクティブ化され得る。ＵＥが、構成済みグラントＰＵＳＣＨ上で送信すべきデータを持たない場合、ＵＥは、構成済みグラントＰＵＣＣＨ上でＣＧ−ＵＣＩを送信しない可能性がある。
【０１１９】
構成済みグラントＰＵＣＣＨ上でのＣＧ−ＵＣＩ送信の衝突の可能性を低減するために、以下を含むがそれらに限定されない手法が使用され得る。
【０１２０】
（１）ＵＥは、構成済みグラントＰＵＣＣＨの複数の構成を使用して構成され得る。ＵＥは、ＣＧ−ＵＣＩを送信するために１つの構成をランダムに選択することができる。
【０１２１】
（２）ＵＥは、構成済みグラントＰＵＣＣＨの１つの構成を使用して構成され得る。構成の範囲内で、ＵＥは以下の代替案によって構成され得る。
【０１２２】
（ａ）ＵＥは、複数のＤＭＲＳポートを使用して構成され得、使用する１つのＤＭＲＳポートをランダムに選択し得る。
【０１２３】
（ｂ）ＵＥは、ＤＭＲＳシーケンスを初期化するためのＵＥ固有のパラメータを用いて構成され得る。
【０１２４】
ｇＮＢは、受信したＣＧ−ＵＣＩを使用してＵＥを識別し得る。一例では、ＵＥを識別するために、ＵＥ  ＩＤは、ＣＧ−ＵＣＩペイロードビットで明示的に示され得る。
【０１２５】
ＲＲＣ接続状態のＵＥの場合、ＵＥは、そのＣＳ−ＲＮＴＩをＣＧ−ＵＣＩペイロードビットで示し得る。
【０１２６】
ＲＲＣ非アクティブ状態のＵＥの場合、ＵＥは、そのＩ−ＲＮＴＩをＣＧ−ＵＣＩペイロードビットで示し得る。
【０１２７】
ＲＲＣアイドル状態のＵＥの場合、ＵＥは、その国際モバイル加入者識別（ＩＭＳＩ）または動的モバイル加入者識別（ＤＭＳＩ）をＣＧ−ＵＣＩペイロードビットで示し得る。
【０１２８】
別の例では、ＵＥ  ＩＤは、２つの部分によって共同で示され得、例えば、ＵＥ  ＩＤは、ＣＧ−ＵＣＩペイロードビットおよびＤＭＲＳによって共同で示され得る。ここでのＤＭＲＳは、ＤＭＲＳポートまたは特定の初期化子またはサイクリックシフトを有するＤＭＲＳポートを指し得る。例えば、ＵＥのグループは同じＤＭＲＳを用いて構成され得る。各グループ内で、各ＵＥは、ローカルＩＤ、例えば、Ｌ−ＲＮＴＩを用いて構成され得る。ＵＥが、構成済みグラントを使用して送信されるＵＬデータを有する場合、ＵＥは、構成済みのＤＭＲＳを使用し、構成済みのＬ−ＲＮＴＩをＣＧ−ＵＣＩペイロードビットで示すことができる。ｇＮＢは、ＤＭＲＳを検出し、ＣＧ−ＵＣＩからＬ−ＲＮＴＩを復号化することによって、ＵＥを識別することができる。
【０１２９】
ＵＬ送信では、適応型ＭＣＳを用いて構成済みグラントを使用することができる。例えばＮＯＭＡモードで動作するＵＥは、以下を含むがそれらに限定されない手法を使用して、使用すべきＭＣＳ値を自律的に選択し、それをＣＧ−ＵＣＩを介してｇＮＢに報告することができる。
【０１３０】
（１）ＵＥは、デフォルトのＭＣＳ値を用いて構成されることなく、そのＭＣＳ値を、事前に指定されるか、または構成されたＭＣＳテーブルから自律的に選択することができる。ＵＥは、ＣＧ−ＵＣＩ内のＭＣＳインジケータフィールドビットを介して、選択されたＭＣＳ値を示すことができる。
【０１３１】
2021534628.tif 000031
【０１３２】
2021534628.tif 000032
【０１３３】
【表３】
2021534628.tif 000033
【０１３４】
ＵＥは、初期送信と再送信の両方について、そのＭＣＳ値を自律的に選択することができる。
【０１３５】
2021534628.tif 000034
【０１３６】
構成済みデフォルトＭＣＳ値を上書きしないことをＵＥが決定した場合、ＵＥは、以下の代替案を介してそれを示すことができる。
【０１３７】
（ａ）ＵＥが構成済みデフォルトＭＣＳ値を使用することを選択する場合、ＵＥは、ＣＧ−ＵＣＩ内のＭＣＳインジケータフィールドビットを介してそれを明示的に示すことができる。この場合、ｇＮＢは、１つのＣＧ−ＵＣＩの長さでＣＧ−ＵＣＩを復号化し、ＭＣＳインジケータフィールドビットを介してＵＥのＭＣＳ値を決定することができる。
【０１３８】
（ｂ）ＵＥが構成済みデフォルトＭＣＳ値を使用することを選択する場合、ＵＥは、ＣＧ−ＵＣＩにＭＣＳインジケータフィールドビットを含めないことによってそれを暗黙的に示すことができる。この場合、ｇＮＢは、２つの可能なＣＧ−ＵＣＩの長さでＣＧ−ＵＣＩを盲目的に復号化することができる。例えば、ＭＣＳインジケータフィールドを持つＣＧ−ＵＣＩの長さがｍビットであり、ＭＣＳインジケータフィールドの長さがｋビットであるとする。ｇＮＢは、ｍビットとｍ−ｋビットの２つの可能な長さでＣＧ−ＵＣＩを盲目的に復号化することができる。ＣＧ−ＵＣＩの長さがｍ−ｋビットであることをｇＮＢが検出した場合、ｇＮＢは、ＵＥが構成済みデフォルトＭＣＳ値を使用していることを知る。ＣＧ−ＵＣＩの長さがｍビットであることをｇＮＢが検出した場合、ｇＮＢは、ＵＥが構成済みデフォルトＭＣＳ値を上書きしたことを知り、ＭＣＳインジケータフィールドビットを介してＵＥのＭＣＳ値を割り出す。
【０１３９】
ＵＥが構成済みデフォルトＭＣＳ値を上書きすることを決定した場合、ＵＥは、選択されたＭＣＳ値をＣＧ−ＵＣＩ内のＭＣＳインジケータフィールドビットを介して示すことができる。選択されたＭＣＳ値は、以下の代替案によって示され得る。
【０１４０】
2021534628.tif 000035
【０１４１】
2021534628.tif 000036
【０１４２】
2021534628.tif 000037
【０１４３】
【表４】
2021534628.tif 000038
【０１４４】
2021534628.tif 000039
【０１４５】
【表５】
2021534628.tif 000040
【０１４６】
ＵＥがデフォルトＭＣＳ値を用いて構成されている場合、ＵＥは、初期送信のためにデフォルトＭＣＳ値を使用することができる。初期送信が否定応答（Negative  Acknowledgement：ＮＡＣＫ）された場合、またはＵＥがタイマ期限内にフィードバックを受信しない場合、ＵＥは、再送信のためにＭＣＳ値を自律的に選択することができる。あるいは、ＵＥは、初期送信および再送信の両方について、構成済みデフォルトＭＣＳ値を上書きするかを自律的に選択することができる。
【０１４７】
第三世代パートナーシッププロジェクト（３ＧＰＰ）では、無線アクセス、コアトランスポートネットワーク、および、コーデック、セキュリティ、およびサービスの質に関する取り組みを含むサービス能力を含む、セルラー通信ネットワーク技術の技術規格を開発する。最近の無線アクセス技術（ＲＡＴ）規格には、広帯域符号分割多元接続（Wideband  Code  Division  Multiple  Access：ＷＣＤＭＡ（登録商標））（一般に３Ｇと呼ばれる）、ＬＴＥ（一般に４Ｇと呼ばれる）、およびＬＴＥアドバンスト（LTE-Advanced）規格が含まれる。３ＧＰＰは、新無線（ＮＲ）と呼ばれ、「５Ｇ」とも呼ばれる次世代セルラー技術の標準化に取り組み始めた。３ＧＰＰ  ＮＲ規格の開発には、次世代無線アクセス技術（新しいＲＡＴ）の定義が含まれると予想され、これには、６ＧＨｚ未満の新しいフレキシブル無線アクセスの規定、および６ＧＨｚを超える新しいウルトラモバイルブロードバンド無線アクセスの規定が含まれると予想される。フレキシブル無線アクセスは、６ＧＨｚ未満の新しいスペクトルでの、新しい、後方互換性のない無線アクセスで構成されると予想され、要件の多様な広範囲の３ＧＰＰ  ＮＲのユースケースに対処するために、同一スペクトル内で多重化可能な異なる動作モードを含むと予想される。ウルトラモバイルブロードバンドは、例えば、屋内用途やホットスポットのためのウルトラモバイルブロードバンドアクセスの機会を提供するセンチ波およびミリ波スペクトルを含むと予想される。特に、ウルトラモバイルブロードバンドは、センチ波およびミリ波に特有の設計最適化を施した共通設計枠組みを、６ＧＨｚ未満のフレキシブル無線アクセスと共有すると予想される。
【０１４８】
３ＧＰＰは、ＮＲがサポートすると予想される様々なユースケースを特定し、その結果、データ転送速度や待ち時間やモビリティに対する多様なユーザエクスペリエンス要件を定めた。ユースケースには、以下の一般的カテゴリが含まれる。すなわち、拡張モバイルブロードバンド（例えば、密集エリア内のブロードバンドアクセス、屋内超高ブロードバンドアクセス、人混みでのブロードバンドアクセス、あらゆる場所での５０Ｍｂｐｓ以上、超低コストブロードバンドアクセス、車内モバイルブロードバンド）、クリティカル通信、大規模マシンタイプ通信、ネットワークオペレーション（例えば、ネットワークスライシング、ルーティング、マイグレーションとインターワーキング、および省エネルギー）、および拡張ビークル・ツー・エブリシング（Enhanced  Vehicle-to-Everything：ｅＶ２Ｘ）通信。ｅＶ２Ｘ通信は、車車間（Vehicle-to-Vehicle：Ｖ２Ｖ）通信、車・インフラストラクチャ間（Vehicle-to-Infrastructure：Ｖ２Ｉ）通信、車・ネットワーク間（Vehicle-to-Network：Ｖ２Ｎ）通信、車・歩行者間（Vehicle-to-Pedestrian：Ｖ２Ｐ）通信、および車両と他のエンティティ間の通信を含み得る。これらのカテゴリ内の具体的なサービスおよびアプリケーションには、いくつか例を挙げると、監視およびセンサネットワーク、デバイスの遠隔制御、双方向遠隔制御、パーソナルクラウドコンピューティング、ビデオストリーミング、無線クラウドベースのオフィス、ファーストレスポンダへの接続性、自動車用ｅＣａｌｌ、災害警報、リアルタイムゲーム、多人数ビデオ通話、自律走行、拡張現実、タッチインターネット、仮想現実などが含まれる。本明細書は、これらすべてのユースケースおよびその他を想定している。
【０１４９】
図１０Ａは、本明細書で説明され、特許請求される方法および装置を具現化し得る通信システム１００の例の一実施形態を示す。図示のように、通信システム１００の例は、無線送受信ユニット（Wireless  Transmit/Receive  Unit：ＷＴＲＵ）１０２ａ、１０２ｂ、１０２ｃ、１０２ｄ、１０２ｅ、１０２ｆ、および１０２ｇのうち、少なくとも１つ（一般的に、あるいは総称して、ＷＴＲＵ１０２と呼ばれることもある）と、無線アクセスネットワーク（ＲＡＮ）１０３／１０４／１０５／１０３ｂ／１０４ｂ／１０５ｂと、コアネットワーク１０６／１０７／１０９と、公衆交換電話網（Public  Switched  Telephone  Network：ＰＳＴＮ）１０８と、インターネット１１０と、その他のネットワーク１１２と、Ｖ２Ｘサーバ（またはＰｒｏＳｅ機能およびサーバ）１１３を含み得るが、開示された実施形態は任意の数のＷＴＲＵや、基地局や、ネットワークや、ネットワーク要素を想定していることは理解されるであろう。ＷＴＲＵ１０２ａ、１０２ｂ、１０２ｃ、１０２ｄ、１０２ｅ、１０２ｆ、１０２ｇの各々は、無線環境下で動作や通信を行うように構成された任意の種類の装置またはデバイスであってよい。ＷＴＲＵ１０２ａ、１０２ｂ、１０２ｃ、１０２ｄ、１０２ｅ、１０２ｆ、１０２ｇの各々はハンドヘルド無線通信装置として図１０Ａ〜図１０Ｅに図示されているが、５Ｇ無線通信に対する多様なユースケースを想定すれば、ＷＴＲＵの各々は、ほんの一例として、ユーザ端末（ＵＥ）、モバイル局、固定または移動加入者ユニット、無線呼び出し装置、携帯電話、携帯情報端末（Personal  Digital  Assistant：ＰＤＡ）、スマートフォン、ラップトップ、タブレット、ネットブック、ノートブックコンピュータ、パーソナルコンピュータ、無線センサ、家庭用電化製品、スマートウォッチやスマートクロージングなどのウェアラブルデバイス、医療機器やｅＨｅａｌｔｈデバイス、ロボット、産業機器、ドローン、乗用車やトラックや列車や航空機などの輸送機器などを含む、無線信号を送信や受信するように構成された任意の装置またはデバイスを含むか、または、その中に具現化されてもよいことが理解される。
【０１５０】
通信システム１００はまた、基地局１１４ａと基地局１１４ｂを含むことができる。基地局１１４ａは、ＷＴＲＵ１０２ａ、１０２ｂ、１０２ｃのうちの少なくとも１つと無線でインターフェースして、コアネットワーク１０６／１０７／１０９やインターネット１１０やその他のネットワーク１１２などの１つ以上の通信ネットワークへのアクセスを円滑にするように構成された任意の種類のデバイスであってもよい。基地局１１４ｂは、遠隔無線ヘッド（Remote  Radio  Head：ＲＲＨ）１１８ａ、１１８ｂ、送受信ポイント（Transmission  and  Reception  Point：ＴＲＰ）１１９ａ、１１９ｂ、路側機（Roadside  Unit：ＲＳＵ）１２０ａおよび１２０ｂのうち少なくとも１つと有線や無線でインターフェースして、コアネットワーク１０６／１０７／１０９やインターネット１１０やその他のネットワーク１１２やＶ２Ｘサーバ（またはＰｒｏＳｅ機能およびサーバ）１１３などの１つ以上の通信ネットワークへのアクセスを円滑にするように構成された任意の種類のデバイスであってもよい。ＲＲＨ１１８ａ、１１８ｂは、ＷＴＲＵ１０２ｃの少なくとも１つと無線でインターフェースして、コアネットワーク１０６／１０７／１０９やインターネット１１０やその他のネットワーク１１２などの１つ以上の通信ネットワークへのアクセスを円滑にするように構成された任意の種類のデバイスであってもよい。ＴＲＰ１１９ａ、１１９ｂは、ＷＴＲＵ１０２ｄの少なくとも１つと無線でインターフェースして、コアネットワーク１０６／１０７／１０９やインターネット１１０やその他のネットワーク１１２などの１つ以上の通信ネットワークへのアクセスを円滑にするように構成された任意の種類のデバイスであってもよい。ＲＳＵ１２０ａおよび１２０ｂは、ＷＴＲＵ１０２ｅまたは１０２ｆの少なくとも１つと無線でインターフェースして、コアネットワーク１０６／１０７／１０９やインターネット１１０やその他のネットワーク１１２やＶ２Ｘサーバ（またはＰｒｏＳｅ機能およびサーバ）１１３などの１つ以上の通信ネットワークへのアクセスを円滑にするように構成された任意の種類のデバイスであってもよい。一例として、基地局１１４ａ、１１４ｂは、ベーストランシーバ基地局（Base  Transceiver  Station：ＢＴＳ）、ノードＢ、ｅノードＢ、ホームノードＢ、ホームｅノードＢ、サイトコントローラ、アクセスポイント（Access  Point：ＡＰ）、無線ルータなどであってもよい。基地局１１４ａ、１１４ｂはそれぞれ単一要素として図示されているが、基地局１１４ａ、１１４ｂは任意の数の相互接続された基地局やネットワーク要素を含むことができることは理解されるであろう。
【０１５１】
基地局１１４ａはＲＡＮ１０３／１０４／１０５の一部であってもよく、ＲＡＮ１０３／１０４／１０５は、また、基地局コントローラ（Base  Station  Controller：ＢＳＣ）、無線ネットワークコントローラ（Radio  Network  Controller：ＲＮＣ）、中継ノードなどの他の基地局やネットワーク要素（図示せず）を含んでもよい。基地局１１４ｂはＲＡＮ１０３ｂ／１０４ｂ／１０５ｂの一部であってもよく、ＲＡＮ１０３ｂ／１０４ｂ／１０５ｂは、また、基地局コントローラ（ＢＳＣ）、無線ネットワークコントローラ（ＲＮＣ）、中継ノードなどの他の基地局やネットワーク要素（図示せず）を含んでもよい。基地局１１４ａは、セル（図示せず）と称することもある特定の地理的領域の中の無線信号を送信や受信するように構成され得る。基地局１１４ｂは、セル（図示せず）と称することもある特定の地理的領域内の有線や無線の信号を送受信するように構成され得る。セルは、さらにセルセクタに分割することができる。例えば、基地局１１４ａに関連するセルを３つのセクタに分割することができる。一実施形態においては、基地局１１４ａは、そのように、例えば、セルのセクタごとに１つとなる、３つのトランシーバを含むことができる。一実施形態においては、基地局１１４ａは、多入力多出力（Multiple  Input  Multiple  Output：ＭＩＭＯ）技術を採用することができ、したがって、セルの各セクタ当たり複数のトランシーバを利用することができる。
【０１５２】
基地局１１４ａは、ＷＴＲＵ１０２ａ、１０２ｂ、１０２ｃのうちの１つ以上と、エアインターフェース１１５／１１６／１１７を介して通信してもよく、エアインターフェース１１５／１１６／１１７は、任意の適切な無線通信リンク（例えば、無線周波数（Radio  Frequency：ＲＦ）、マイクロ波、赤外線（Infrared：ＩＲ）、紫外線（Ultraviolet：ＵＶ）、可視光、センチ波、ミリ波など）であってもよい。エアインターフェース１１５／１１６／１１７は、任意の適切な無線アクセス技術（ＲＡＴ）を用いて構築することができる。
【０１５３】
基地局１１４ｂは、ＲＲＨ１１８ａ、１１８ｂや、ＴＲＰ１１９ａ、１１９ｂや、ＲＳＵ１２０ａおよび１２０ｂのうち１つ以上と、有線またはエアインターフェース１１５ｂ／１１６ｂ／１１７ｂを介して通信してもよく、有線またはエアインターフェース１１５ｂ／１１６ｂ／１１７ｂは、任意の適切な有線（例えば、ケーブルや光ファイバなど）または無線通信リンク（例えば、無線周波数（ＲＦ）、マイクロ波、赤外線（ＩＲ）、紫外線（ＵＶ）、可視光、センチ波、ミリ波など）であってもよい。エアインターフェース１１５ｂ／１１６ｂ／１１７ｂは、任意の適切な無線アクセス技術（ＲＡＴ）を使って構築することができる。
【０１５４】
ＲＲＨ１１８ａ、１１８ｂや、ＴＲＰ１１９ａ、１１９ｂや、ＲＳＵ１２０ａ、１２０ｂは、ＷＴＲＵ１０２ｃ、１０２ｄ、１０２ｅ、１０２ｆのうち１つ以上と、エアインターフェース１１５ｃ／１１６ｃ／１１７ｃを介して通信してもよく、エアインターフェース１１５ｃ／１１６ｃ／１１７ｃは、任意の適切な無線通信リンク（例えば、無線周波数（ＲＦ）、マイクロ波、赤外線（ＩＲ）、紫外線（ＵＶ）、可視光、センチ波、ミリ波など）であってもよい。エアインターフェース１１５ｃ／１１６ｃ／１１７ｃは、任意の適切な無線アクセス技術（ＲＡＴ）を使って構築することができる。
【０１５５】
ＷＴＲＵ１０２ａ、１０２ｂ、１０２ｃ、１０２ｄ、１０２ｅ、１０２ｆ、および１０２ｇの少なくとも一部は、エアインターフェース１１５ｄ／１１６ｄ／１１７ｄ（図示せず）を介して相互に通信可能である。エアインターフェース１１５ｄ／１１６ｄ／１１７ｄは、任意の適切な無線通信リンク（例えば、無線周波数（ＲＦ）、マイクロ波、赤外線（ＩＲ）、紫外線（ＵＶ）、可視光、センチ波、ミリ波など）であり得る。エアインターフェース１１５ｄ／１１６ｄ／１１７ｄは、任意の適切な無線アクセス技術（ＲＡＴ）を用いて構築することができる。
【０１５６】
より具体的には、上記のように、通信システム１００は多重アクセスシステムでもよく、例えば、符号分割多元接続（Code  Division  Multiple  Access：ＣＤＭＡ）、時分割多元接続（Time  Division  Multiple  Access：ＴＤＭＡ）、周波数分割多元接続（Frequency  Division  Multiple  Access：ＦＤＭＡ）、直交周波数分割多元接続（Orthogonal  Frequency  Division  Multiple  Access：ＯＦＤＭＡ）、シングルキャリア周波数分割多元接続（Single  Carrier  Frequency  Division  Multiple  Access：ＳＣ−ＦＤＭＡ）などの、１つ以上のチャネルアクセス方式を採用することができる。例えば、ＲＡＮ１０３／１０４／１０５内の基地局１１４ａとＷＴＲＵ１０２ａ、１０２ｂ、１０２ｃ、またはＲＡＮ１０３ｂ／１０４ｂ／１０５ｂ内のＲＲＨ１１８ａ、１１８ｂ、ＴＲＰ１１９ａ、１１９ｂ、およびＲＳＵ１２０ａ、１２０ｂとＷＴＲＵ１０２ｃ、１０２ｄ、１０２ｅ、１０２ｆは、ユニバーサルモバイル通信システム（Universal  Mobile  Telecommunications  System：ＵＭＴＳ）地上無線アクセス（Terrestrial  Radio  Access：ＵＴＲＡ）などの無線技術を実装してもよく、その技術によって、広帯域ＣＤＭＡ（ＷＣＤＭＡ）を使ったエアインターフェース１１５／１１６／１１７または１１５ｃ／１１６ｃ／１１７ｃをそれぞれ構築してもよい。ＷＣＤＭＡは、高速パケットアクセス（High-Speed  Packet  Access：ＨＳＰＡ）や発展型ＨＳＰＡ（ＨＳＰＡ＋）などの通信プロトコルを含むことができる。ＨＳＰＡは、高速下りリンクパケットアクセス（High-Speed  Downlink  Packet  Access：ＨＳＤＰＡ）や高速上りリンクパケットアクセス（High-Speed  Uplink  Packet  Access：ＨＳＵＰＡ）を含むことができる。
【０１５７】
一実施形態においては、基地局１１４ａとＷＴＲＵ１０２ａ、１０２ｂ、１０２ｃ、またはＲＡＮ１０３ｂ／１０４ｂ／１０５ｂ内のＲＲＨ１１８ａ、１１８ｂや、ＴＲＰ１１９ａ、１１９ｂや、ＲＳＵ１２０ａ、１２０ｂとＷＴＲＵ１０２ｃ、１０２ｄは、発展型ＵＭＴＳ地上無線アクセス（Ｅ−ＵＴＲＡ）などの無線技術を実装してもよく、その技術によって、ロングタームエボリューション（ＬＴＥ）やＬＴＥアドバンスト（ＬＴＥ−Ａ）を使ったエアインターフェース１１５／１１６／１１７または１１５ｃ／１１６ｃ／１１７ｃをそれぞれ構築してもよい。将来は、エアインターフェース１１５／１１６／１１７は３ＧＰＰ  ＮＲ技術を実装し得る。ＬＴＥおよびＬＴＥ−Ａ技術には、ＬＴＥデバイス間（Device-to-Device：Ｄ２Ｄ）およびＶ２Ｘ技術とインターフェース（サイドリンク通信など）が含まれる。３ＧＰＰ  ＮＲ技術には、ＮＲ  Ｖ２Ｘ技術とインターフェース（サイドリンク通信など）が含まれる。
【０１５８】
一実施形態においては、ＲＡＮ１０３／１０４／１０５内の基地局１１４ａとＷＴＲＵ１０２ａ、１０２ｂ、１０２ｃ、またはＲＡＮ１０３ｂ／１０４ｂ／１０５ｂ内のＲＲＨ１１８ａ、１１８ｂや、ＴＲＰ１１９ａ、１１９ｂや、ＲＳＵ１２０ａ、１２０ｂとＷＴＲＵ１０２ｃ、１０２ｄ、１０２ｅ、１０２ｆは、ＩＥＥＥ  ８０２．１６（例えば、ワールドワイド・インターオペラビリティ・フォー・マイクロウェーブ・アクセス（Worldwide  Interoperability  for  Microwave  Access：ＷｉＭＡＸ））、ＣＤＭＡ２０００、ＣＤＭＡ２０００  １Ｘ、ＣＤＭＡ２０００進化データ最適化（Evolution-Data  Optimized：ＥＶ−ＤＯ）、暫定規格（Interim  Standard：ＩＳ）２０００（ＩＳ−２０００）、暫定規格９５（ＩＳ−９５）、暫定規格８５６（ＩＳ−８５６）、モバイル通信用グローバルシステム（Global  System  for  Mobile  Communications：ＧＳＭ（登録商標））、ＧＳＭ進化型高速データレート（Enhanced  Data  Rates  for  GSM  Evolution：ＥＤＧＥ）、ＧＳＭ  ＥＤＧＥ（ＧＳＭ  ＥＤＧＥ無線アクセスネットワーク（GSM  EDGE  Radio  Access  Network：ＧＥＲＡＮ））などの無線技術を実装してもよい。
【０１５９】
図１０Ａの基地局１１４ｃは、例えば、無線ルータ、ホームノードＢ、ホームｅノードＢ、またはアクセスポイントでもよく、事業所、家庭、車両、キャンパスなどの局所的領域における無線接続性を円滑にするための任意の適切なＲＡＴを利用してもよい。一実施形態においては、基地局１１４ｃとＷＴＲＵ１０２ｅは、ＩＥＥＥ  ８０２．１１などの無線技術を実装して、無線ローカルエリアネットワーク（Wireless  Local  Area  Network：ＷＬＡＮ）を構築してもよい。一実施形態においては、基地局１１４ｃとＷＴＲＵ１０２ｄは、ＩＥＥＥ  ８０２．１５などの無線技術を実装して、無線パーソナルエリアネットワーク（Wireless  Personal  Area  Network：ＷＰＡＮ）を構築してもよい。さらに別の実施形態においては、基地局１１４ｃとＷＴＲＵ１０２ｅは、セルラーベースのＲＡＴ（例えば、ＷＣＤＭＡ、ＣＤＭＡ２０００、ＧＳＭ、ＬＴＥ、ＬＴＥ−Ａなど）を利用してピコセルまたはフェムトセルを構築してもよい。図１０Ａに示すように、基地局１１４ｂはインターネット１１０と直接接続されてもよい。このように、基地局１１４ｃは、インターネット１１０にアクセスするためにコアネットワーク１０６／１０７／１０９を介する必要はない。
【０１６０】
ＲＡＮ１０３／１０４／１０５やＲＡＮ１０３ｂ／１０４ｂ／１０５ｂはコアネットワーク１０６／１０７／１０９と通信可能であり、コアネットワーク１０６／１０７／１０９は、音声、データ、アプリケーション、ボイスオーバーインターネットプロトコル（Voice  Over  Internet  Protocol：ＶｏＩＰ）などサービスを、ＷＴＲＵ１０２ａ、１０２ｂ、１０２ｃ、１０２ｄのうち１つ以上に提供するように構成された任意の種類のネットワークであり得る。例えば、コアネットワーク１０６／１０７／１０９は、呼制御、ビリングサービス、モバイル位置情報サービス、プリペイドコーリング、インターネット接続性、ビデオ配信などを提供したり、ユーザ認証などの高度セキュリティ機能を実行したりすることができる。
【０１６１】
図１０Ａには図示しないが、ＲＡＮ１０３／１０４／１０５やＲＡＮ１０３ｂ／１０４ｂ／１０５ｂやコアネットワーク１０６／１０７／１０９は、ＲＡＮ１０３／１０４／１０５やＲＡＮ１０３ｂ／１０４ｂ／１０５ｂと同一のＲＡＴまたは異なるＲＡＴを用いている他のＲＡＮと直接的または間接的に通信し得ることは理解されるであろう。例えば、コアネットワーク１０６／１０７／１０９は、Ｅ−ＵＴＲＡ無線技術を利用し得るＲＡＮ１０３／１０４／１０５やＲＡＮ１０３ｂ／１０４ｂ／１０５ｂと接続されているだけでなく、ＧＳＭ無線技術を採用している別のＲＡＮ（図示せず）とも通信することができる。
【０１６２】
コアネットワーク１０６／１０７／１０９は、ＷＴＲＵ１０２ａ、１０２ｂ、１０２ｃ、１０２ｄ、１０２ｅがＰＳＴＮ１０８やインターネット１１０やその他のネットワーク１１２にアクセスするためのゲートウェイとして機能することもできる。ＰＳＴＮ１０８は、基本電話サービス（Plain  Old  Telephone  Service：ＰＯＴＳ）を提供する回路交換電話網を含み得る。インターネット１１０は、ＴＣＰ／ＩＰインターネットプロトコルスイートの中の伝送制御プロトコル（Transmission  Control  Protocol：ＴＣＰ）、ユーザデータグラムプロトコル（User  Datagram  Protocol：ＵＤＰ）、インターネットプロトコル（Internet  Protocol：ＩＰ）などの共通通信プロトコルを使用する相互接続されたコンピュータネットワークとデバイスのグローバルシステムを含み得る。ネットワーク１１２は、他のサービスプロバイダが所有や運用する有線または無線通信ネットワークを含むことができる。例えば、ネットワーク１１２は、ＲＡＮ１０３／１０４／１０５やＲＡＮ１０３ｂ／１０４ｂ／１０５ｂと同一のＲＡＴまたは異なるＲＡＴを使用し得る１つ以上のＲＡＮと接続された別のコアネットワークを含むことができる。
【０１６３】
通信システム１００におけるＷＴＲＵ１０２ａ、１０２ｂ、１０２ｃ、１０２ｄの一部または全部はマルチモード能力を有し得る。例えば、ＷＴＲＵ１０２ａ、１０２ｂ、１０２ｃ、１０２ｄ、および１０２ｅは、異なる無線リンクを介して異なる無線ネットワークと通信するための複数のトランシーバを有し得る。例えば、図１０Ａに示すＷＴＲＵ１０２ｅは、セルラーベースの無線技術を採用できる基地局１１４ａ、およびＩＥＥＥ  ８０２無線技術を採用できる基地局１１４ｃと通信するように構成され得る。
【０１６４】
図１０Ｂは、本明細書に示す実施形態に従って無線通信用に構成された、例えば、ＷＴＲＵ１０２などの装置またはデバイスの例のブロック図である。図１０Ｂに示すように、例となるＷＴＲＵ１０２は、プロセッサ１１８と、トランシーバ１２０と、送受信要素１２２と、スピーカ／マイクロフォン１２４と、キーパッド１２６と、ディスプレイ／タッチパッド／インジケータ１２８と、非取り外し可能メモリ１３０と、取り外し可能メモリ１３２と、電源１３４と、グローバルポジショニングシステム（Global  Positioning  System：ＧＰＳ）チップセット１３６と、その他の周辺機器１３８とを含むことができる。ＷＴＲＵ１０２は、一実施形態との整合性を維持しながら、上述の要素の任意のサブコンビネーションを含むことができることは理解されるであろう。また、各実施形態では、基地局１１４ａ、１１４ｂや、基地局１１４ａ、１１４ｂが代表し得るノード（とりわけ、例えば、トランシーバ基地局（ＢＴＳ）、ノードＢ、サイトコントローラ、アクセスポイント（ＡＰ）、ホームノードＢ、発展型ホームノードＢ（Evolved  Home  Node-B：ｅＮｏｄｅＢ）、ホーム発展型ノードＢ（Home  Evolved  Node-B：ＨｅＮＢ）、ホーム発展型ノードＢゲートウェイ、およびプロキシノードなどであるが、これらに限らない）は、図１０Ｂに示し本明細書で述べる要素の一部または全部を含むことができるということを想定している。
【０１６５】
プロセッサ１１８は、汎用プロセッサ、専用プロセッサ、従来型プロセッサ、デジタルシグナルプロセッサ（Digital  Signal  Processor：ＤＳＰ）、複数のマイクロプロセッサ、ＤＳＰコアと関連する１つ以上のマイクロプロセッサ、コントローラ、マイクロコントローラ、特定用途向け集積回路（Application  Specific  Integrated  Circuit：ＡＳＩＣ）、フィールドプログラマブルゲートアレイ（Field  Programmable  Gate  Array：ＦＰＧＡ）回路、任意の他の種類の集積回路（Integrated  Circuit：ＩＣ）、状態機械などであってもよい。プロセッサ１１８は、ＷＴＲＵ１０２の無線環境下での動作を可能にする信号符号化や、データ処理や、電源制御や、入出力処理や、任意のその他の機能などを実行することができる。プロセッサ１１８はトランシーバ１２０に接続されてもよく、トランシーバ１２０は送受信要素１２２に接続されてもよい。図１０Ｂはプロセッサ１１８とトランシーバ１２０を別々の構成要素として図示しているが、プロセッサ１１８とトランシーバ１２０を１つの電子パッケージまたはチップに一体化してもよいことは理解されるであろう。
【０１６６】
送受信要素１２２は、エアインターフェース１１５／１１６／１１７を介して基地局（例えば、基地局１１４ａ）と信号の送受信を行うように構成され得る。例えば、一実施形態においては、送受信要素１２２はＲＦ信号を送信や受信するように構成されたアンテナであってもよい。一実施形態においては、送受信要素１２２は、例えば、ＩＲやＵＶや可視光の信号を送信や受信するように構成されたエミッタ／検出器であってもよい。さらに１つの実施形態においては、送受信要素１２２はＲＦと光信号のどちらも送受信するように構成されてもよい。送受信要素１２２は無線信号の任意の組み合わせを送信や受信するように構成され得ることは理解されるであろう。
【０１６７】
さらに、図１０Ｂには、送受信要素１２２は単一要素として図示されているが、ＷＴＲＵ１０２は任意の数の送受信要素１２２を含んでもよい。より具体的には、ＷＴＲＵ１０２はＭＩＭＯ技術を採用してもよい。そのように、一実施形態においては、ＷＴＲＵ１０２は、無線信号をエアインターフェース１１５／１１６／１１７を介して送受信用の２つ以上の送受信要素１２２（例えば、複数のアンテナ）を含んでもよい。
【０１６８】
トランシーバ１２０は送受信要素１２２が送信する信号を変調し、送受信要素１２２が受信した信号を復調するように構成され得る。上述のように、ＷＴＲＵ１０２はマルチモード能力を有し得る。したがって、トランシーバ１２０は、ＷＴＲＵ１０２が、例えば、ＵＴＲＡやＩＥＥＥ  ８０２．１１などの複数のＲＡＴを介して通信できるように、複数のトランシーバを含むことができる。
【０１６９】
ＷＴＲＵ１０２のプロセッサ１１８は、スピーカ／マイクロフォン１２４やキーパッド１２６やディスプレイ／タッチパッド／インジケータ１２８（例えば、液晶ディスプレイ（Liquid  Crystal  Display：ＬＣＤ）表示ユニットまたは有機発光ダイオード（Organic  Light-Emitting  Diode：ＯＬＥＤ）表示ユニット）に接続されかつ、そこからユーザ入力データを受信することができる。プロセッサ１１８は、ユーザデータをスピーカ／マイクロフォン１２４やキーパッド１２６やディスプレイ／タッチパッド／インジケータ１２８に出力することもできる。さらに、プロセッサ１１８は、非取り外し可能メモリ１３０や取り外し可能メモリ１３２などの任意の種類の適切なメモリからの情報にアクセスし、そこにデータを保存することもできる。非取り外し可能メモリ１３０はランダムアクセスメモリ（Random-Access  Memory：ＲＡＭ）、読み出し専用メモリ（Read-Only  Memory：ＲＯＭ）、ハードディスク、または任意のその他の種類の記憶装置を含み得る。取り外し可能メモリ１３２は加入者識別モジュール（Subscriber  Identity  Module：ＳＩＭ）カード、メモリスティック、セキュアデジタル（Secure  Digital：ＳＤ）メモリカードなどを含み得る。一実施形態においては、プロセッサ１１８は、例えば、サーバまたはホームコンピュータ（図示せず）上の、ＷＴＲＵ１０２上に物理的に位置しないメモリからの情報にアクセスし、そこにデータを保存してもよい。
【０１７０】
プロセッサ１１８は電源１３４から電力を受け取ることができ、ＷＴＲＵ１０２内の他の構成要素に対して電力を分配したり制御したりするように構成され得る。電源１３４は、ＷＴＲＵ１０２に電力を供給するための任意の適切なデバイスであり得る。例えば、電源１３４は、１つ以上の乾電池、太陽電池、燃料電池などを含むことができる。
【０１７１】
プロセッサ１１８は、ＷＴＲＵ１０２の現在の位置に関する位置情報（例えば、経度と緯度）を提供するように構成され得るＧＰＳチップセット１３６に接続されることもできる。ＷＴＲＵ１０２は、ＧＰＳチップセット１３６からの情報に加えて、またはそれに代えて、基地局（例えば、基地局１１４ａ、１１４ｂ）からエアインターフェース１１５／１１６／１１７を介して位置情報を受信したり、２つ以上の近隣の基地局から受信中の信号のタイミングに基づいて自身の位置を決定したりすることができる。ＷＴＲＵ１０２は、一実施形態との整合性を維持しながら、任意の適切な位置決定方法によって位置情報を取得してもよいことは理解されるであろう。
【０１７２】
プロセッサ１１８は、その他の周辺機器１３８にさらに接続されてもよく、その他の周辺機器１３８は、追加的特徴や機能性や、有線または無線接続性を提供する１つ以上のソフトウェアやハードウェアのモジュールを含むことができる。例えば、周辺機器１３８は、加速度計や生体計測（例えば、指紋）センサなどの各種センサ、電子コンパス（e-Compass）、衛星トランシーバ、（写真またはビデオ用）デジタルカメラ、ユニバーサルシリアルバス（Universal  Serial  Bus：ＵＳＢ）ポートまたはその他の相互接続インターフェース、振動デバイス、テレビジョントランシーバ、ハンズフリーヘッドセット、ブルートゥース（登録商標）（Bluetooth）モジュール、周波数変調（Frequency  Modulated：ＦＭ）無線ユニット、デジタル音楽プレーヤ、メディアプレーヤ、ビデオゲームプレーヤモジュール、インターネットブラウザなどを含むことができる。
【０１７３】
ＷＴＲＵ１０２は、センサ、家庭用電化製品、スマートウォッチやスマートクロージングのようなウェアラブルデバイス、医療機器やｅＨｅａｌｔｈデバイス、ロボット、産業機器、ドローン、乗用車、トラック、列車、航空機などの輸送機器などの、他の装置またはデバイスの中に具現化されてもよい。ＷＴＲＵ１０２は、そのような装置またはデバイスのその他の構成要素、モジュール、またはシステムに、周辺機器１３８の１つを含み得る相互接続インターフェースなどの１つ以上の相互接続インターフェースを介して接続されてもよい。
【０１７４】
図１０Ｃは、一実施形態に係るＲＡＮ１０３およびコアネットワーク１０６のシステム図である。上述のように、ＲＡＮ１０３は、ＵＴＲＡ無線技術を採用して、エアインターフェース１１５を介してＷＴＲＵ１０２ａ、１０２ｂ、１０２ｃと通信することができる。ＲＡＮ１０３はコアネットワーク１０６と通信することもできる。図１０Ｃに示すように、ＲＡＮ１０３は、ノードＢ１４０ａ、１４０ｂ、１４０ｃを含むことができ、ノードＢ１４０ａ、１４０ｂ、１４０ｃは、それぞれ、ＷＴＲＵ１０２ａ、１０２ｂ、１０２ｃとエアインターフェース１１５を介して通信するための１つ以上のトランシーバを含むことができる。ノードＢ１４０ａ、１４０ｂ、１４０ｃは、それぞれ、ＲＡＮ１０３内の特定のセル（図示せず）と関連付けられてもよい。ＲＡＮ１０３はＲＮＣ１４２ａ、１４２ｂをさらに含むことができる。ＲＡＮ１０３は、一実施形態との整合性を維持しながら、任意の数のノードＢやＲＮＣを含み得ることは理解されるであろう。
【０１７５】
図１０Ｃに示すように、ノードＢ１４０ａ、１４０ｂはＲＮＣ１４２ａと通信可能である。さらに、ノードＢ１４０ｃはＲＮＣ１４２ｂと通信可能である。ノードＢ１４０ａ、１４０ｂ、１４０ｃは、Ｉｕｂインターフェースを介して、ＲＮＣ１４２ａ、１４２ｂのそれぞれと通信可能である。ＲＮＣ１４２ａ、１４２ｂは、Ｉｕｒインターフェースを介して相互に通信可能である。ＲＮＣ１４２ａ、１４２ｂの各々は、それが接続されているノードＢ１４０ａ、１４０ｂ、１４０ｃのそれぞれを制御するように構成され得る。さらに、ＲＮＣ１４２ａ、１４２ｂの各々は、外部ループ電源制御、負荷制御、承認制御、パケットスケジューリング、ハンドオーバ制御、マクロダイバーシティ、セキュリティ機能、データ暗号化などの、他の機能を実行またはサポートするように構成され得る。
【０１７６】
図１０Ｃに示すコアネットワーク１０６は、メディアゲートウェイ（Media  Gateway：ＭＧＷ）１４４と、モバイルスイッチングセンタ（Mobile  Switching  Center：ＭＳＣ）１４６と、サービング汎用パケット無線サービス（General  Packet  Radio  Service：ＧＰＲＳ）サポートノード（Serving  GPRS  Support  Node：ＳＧＳＮ）１４８と、ゲートウェイＧＰＲＳサポートノード（Gateway  GPRS  Support  Node：ＧＧＳＮ）１５０を含むことができる。上記要素の各々はコアネットワーク１０６の部分として図示されているが、これらの要素のうちのいずれも、コアネットワークオペレータ以外の事業体によって所有や運用されてもよいことは理解されるであろう。
【０１７７】
ＲＡＮ１０３内のＲＮＣ１４２ａは、ＩｕＣＳインターフェースを介して、コアネットワーク１０６内のＭＳＣ１４６に接続されてもよい。ＭＳＣ１４６はＭＧＷ１４４に接続されてもよい。ＭＳＣ１４６とＭＧＷ１４４は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定有線通信デバイスの間の通信を円滑にすることができる。
【０１７８】
ＲＡＮ１０３内のＲＮＣ１４２ａは、ＩｕＰＳインターフェースを介して、コアネットワーク１０６内のＳＧＳＮ１４８にさらに接続されてもよい。ＳＧＳＮ１４８はＧＧＳＮ１５０に接続されてもよい。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑にすることができる。
【０１７９】
上述のように、コアネットワーク１０６は、他のサービスプロバイダが所有や運用をする有線または無線ネットワークを含み得るネットワーク１１２にさらに接続されてもよい。
【０１８０】
図１０Ｄは、一実施形態に係るＲＡＮ１０４およびコアネットワーク１０７のシステム図である。上述のように、ＲＡＮ１０４は、Ｅ−ＵＴＲＡ無線技術を採用して、エアインターフェース１１６を介して、ＷＴＲＵ１０２ａ、１０２ｂ、１０２ｃと通信することができる。ＲＡＮ１０４は、コアネットワーク１０７と通信することもできる。
【０１８１】
ＲＡＮ１０４は、ｅノードＢ１６０ａ、１６０ｂ、１６０ｃを含み得るが、ＲＡＮ１０４は、一実施形態との整合性を維持しながら、任意の数のｅノードＢを含み得ることは理解されるであろう。ｅノードＢ１６０ａ、１６０ｂ、１６０ｃは、それぞれ、ＷＴＲＵ１０２ａ、１０２ｂ、１０２ｃとエアインターフェース１１６を介して通信するための１つ以上のトランシーバを含むことができる。一実施形態においては、ｅノードＢ１６０ａ、１６０ｂ、１６０ｃはＭＩＭＯ技術を実装してもよい。そのようにして、ｅノードＢ１６０ａは、例えば、複数のアンテナを使用して、ＷＴＲＵ１０２ａに無線信号を送信し、そこから無線信号を受信することができる。
【０１８２】
ｅノードＢ１６０ａ、１６０ｂ、１６０ｃの各々は、特定のセル（図示せず）に関連付けられてもよく、無線リソース管理上の決定、ハンドオーバの決定、上りリンクや下りリンクにおけるユーザのスケジューリングなどの処理をするように構成されてもよい。図１０Ｄに示すように、ｅノードＢ１６０ａ、１６０ｂ、１６０ｃは、Ｘ２インターフェースを介して、相互に通信可能である。
【０１８３】
図１０Ｄに示すコアネットワーク１０７は、モビリティ管理ゲートウェイ（ＭＭＥ）１６２と、サービングゲートウェイ１６４と、パケットデータネットワーク（Packet  Data  Network：ＰＤＮ）ゲートウェイ１６６を含むことができる。上記要素の各々はコアネットワーク１０７の部分として図示されているが、これらの要素のうちのいずれも、コアネットワークオペレータ以外の事業体によって所有や運用されてもよいことは理解されるであろう。
【０１８４】
ＭＭＥ１６２は、Ｓ１インターフェースを介してＲＡＮ１０４内のｅノードＢ１６０ａ、１６０ｂ、１６０ｃの各々に接続されてもよく、制御ノードとして機能してもよい。例えば、ＭＭＥ１６２は、ＷＴＲＵ１０２ａ、１０２ｂ、１０２ｃのユーザの認証、ベアラのアクティブ化／非アクティブ化、ＷＴＲＵ１０２ａ、１０２ｂ、１０２ｃの初期アタッチ中における特定のサービングゲートウェイの選択などを司ってもよい。ＭＭＥ１６２は、さらに、ＲＡＮ１０４と、ＧＳＭやＷＣＤＭＡなどの他の無線技術を用いる他のＲＡＮ（図示せず）との間で切り替えるための、制御プレーン機能を提供してもよい。
【０１８５】
サービングゲートウェイ１６４は、Ｓ１インターフェースを介して、ＲＡＮ１０４内のｅノードＢ１６０ａ、１６０ｂ、１６０ｃの各々に接続されてもよい。サービングゲートウェイ１６４は、一般に、ユーザデータパケットをＷＴＲＵ１０２ａ、１０２ｂ、１０２ｃへ、またはそこからルーティングおよびフォワーディングすることができる。サービングゲートウェイ１６４は、さらに、ｅノードＢ間のハンドオーバ中におけるユーザプレーンのアンカリング、ＷＴＲＵ１０２ａ、１０２ｂ、１０２ｃが下りリンクデータを利用可能な場合のページングのトリガリング、ＷＴＲＵ１０２ａ、１０２ｂ、１０２ｃのコンテキストの管理および記憶などの、他の機能を実行することができる。
【０１８６】
サービングゲートウェイ１６４は、さらに、ＰＤＮゲートウェイ１６６に接続されてもよく、ＰＤＮゲートウェイ１６６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑にすることができる。
【０１８７】
コアネットワーク１０７は、他のネットワークとの通信を円滑にすることができる。例えば、コアネットワーク１０７は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定有線通信デバイスの間の通信を円滑にすることができる。例えば、コアネットワーク１０７は、コアネットワーク１０７とＰＳＴＮ１０８の間のインターフェースとして機能するＩＰゲートウェイ（例えば、ＩＰマルチメディアサブシステム（IP  Multimedia  Subsystem：ＩＭＳ）サーバ）を含むか、またはそれと通信してもよい。さらに、コアネットワーク１０７は、他のサービスプロバイダが所有や運用する有線または無線通信ネットワークを含み得るネットワーク１１２へのアクセスをＷＴＲＵ１０２ａ、１０２ｂ、１０２ｃに提供することができる。
【０１８８】
図１０Ｅは、一実施形態に係るＲＡＮ１０５およびコアネットワーク１０９のシステム図である。ＲＡＮ１０５は、ＩＥＥＥ  ８０２．１６無線技術を採用して、エアインターフェース１１７を介して、ＷＴＲＵ１０２ａ、１０２ｂ、１０２ｃと通信するアクセスサービスネットワーク（Access  Service  Network：ＡＳＮ）であってもよい。後にさらに論じるように、ＷＴＲＵ１０２ａ、１０２ｂ、１０２ｃと、ＲＡＮ１０５と、コアネットワーク１０９との異なる機能エンティティ間の通信リンクを、基準点として定義することができる。
【０１８９】
図１０Ｅに示すように、ＲＡＮ１０５は基地局１８０ａ、１８０ｂ、１８０ｃとＡＳＮゲートウェイ１８２を含み得るが、ＲＡＮ１０５は、一実施形態との整合性を維持しながら、任意の数の基地局とＡＳＮゲートウェイを含み得ることは理解されるであろう。基地局１８０ａ、１８０ｂ、１８０ｃは、それぞれ、ＲＡＮ１０５内の特定のセルに関連付けられてもよく、エアインターフェース１１７を介してＷＴＲＵ１０２ａ、１０２ｂ、１０２ｃと通信するための１つ以上のトランシーバを含んでもよい。一実施形態においては、基地局１８０ａ、１８０ｂ、１８０ｃはＭＩＭＯ技術を実装してもよい。そのようにして、基地局１８０ａは、例えば、複数のアンテナを使用して、ＷＴＲＵ１０２ａに無線信号を送信し、そこから無線信号を受信することができる。基地局１８０ａ、１８０ｂ、１８０ｃは、さらに、ハンドオフトリガリング、トンネル確立、無線リソース管理、トラフィック分類、サービスの質（ＱｏＳ）ポリシーの施行などのモビリティ管理機能を提供することができる。ＡＳＮゲートウェイ１８２は、トラフィック集約点として機能することができ、ページング、加入者プロファイルのキャッシング、コアネットワーク１０９へのルーティングなどを司ることができる。
【０１９０】
ＷＴＲＵ１０２ａ、１０２ｂ、１０２ｃとＲＡＮ１０５の間のエアインターフェース１１７を、ＩＥＥＥ  ８０２．１６仕様を実装したＲ１基準点と定義することができる。さらに、ＷＴＲＵ１０２ａ、１０２ｂ、１０２ｃの各々は、コアネットワーク１０９との論理インターフェース（図示せず）を構築することができる。ＷＴＲＵ１０２ａ、１０２ｂ、１０２ｃとコアネットワーク１０９の間の論理インターフェースを、認証や、認可や、ＩＰホスト構成管理や、モビリティ管理のために使用され得るＲ２基準点として定義することができる。
【０１９１】
基地局１８０ａ、１８０ｂ、１８０ｃの各々の間の通信リンクを、基地局間のＷＴＲＵハンドオーバおよびデータ転送を円滑にするためのプロトコルを含むＲ８基準点として定義することができる。基地局１８０ａ、１８０ｂ、１８０ｃとＡＳＮゲートウェイ１８２の間の通信リンクをＲ６基準点として定義することができる。Ｒ６基準点は、ＷＴＲＵ１０２ａ、１０２ｂ、１０２ｃの各々に関連付けられたモビリティイベントに基づくモビリティ管理を円滑にするためのプロトコルを含むことができる。
【０１９２】
図１０Ｅに示すように、ＲＡＮ１０５はコアネットワーク１０９に接続され得る。ＲＡＮ１０５とコアネットワーク１０９の間の通信リンクを、例えば、データ転送およびモビリティ管理能力を促進するためのプロトコルを含むＲ３基準点として定義することができる。コアネットワーク１０９は、モバイルＩＰホームエージェント（Mobile  IP  Home  Agent：ＭＩＰ−ＨＡ）１８４と、認証、認可、アカウンティング（Authentication,  Authorization,  Accounting：ＡＡＡ）サーバ１８６と、ゲートウェイ１８８を含むことができる。上記要素の各々はコアネットワーク１０９の部分として図示されているが、これらの要素のうちのいずれも、コアネットワークオペレータ以外の事業体によって所有や運用されてもよいことは理解されるであろう。
【０１９３】
ＭＩＰ−ＨＡはＩＰアドレス管理を司ることができ、ＷＴＲＵ１０２ａ、１０２ｂ、１０２ｃが異なるＡＳＮや異なるコアネットワークの間をローミングできるようにすることができる。ＭＩＰ−ＨＡ１８４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑にすることができる。ＡＡＡサーバ１８６は、ユーザ認証およびユーザサービスのサポートを司ることができる。ゲートウェイ１８８は、他のネットワークとのインターワーキングを円滑にすることができる。例えば、ゲートウェイ１８８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の固定有線通信デバイスの間の通信を円滑にすることができる。さらに、ゲートウェイ１８８は、他のサービスプロバイダが所有や運用する有線または無線通信ネットワークを含み得るネットワーク１１２へのアクセスをＷＴＲＵ１０２ａ、１０２ｂ、１０２ｃに提供することができる。
【０１９４】
図１０Ｅには図示しないが、ＲＡＮ１０５は他のＡＳＮに接続されてもよく、コアネットワーク１０９は他のコアネットワークと接続されてもよいことは理解されるであろう。ＲＡＮ１０５と他のＡＳＮとの間の通信リンクをＲ４基準点として定義することができ、Ｒ４基準点は、ＲＡＮ１０５と他のＡＳＮとの間のＷＴＲＵ１０２ａ、１０２ｂ、１０２ｃのモビリティを調整するためのプロトコルを含むことができる。コアネットワーク１０９と他のコアネットワークの間の通信リンクを、Ｒ５基準として定義することができ、Ｒ５基準は、ホームコアネットワークと訪問先コアネットワークの間のインターワーキングを円滑にするためのプロトコルを含むことができる。
【０１９５】
本明細書で説明され、図１０Ａ、１０Ｃ、１０Ｄ、および１０Ｅに示されたコアネットワークエンティティは、特定の既存の３ＧＰＰ仕様においてそれらのエンティティに付けられた名前で識別されるが、それらのエンティティや機能性は、将来は、他の名前で識別される可能性があり、特定のエンティティまたは機能性は、３ＧＰＰが発行する、３ＧＰＰ  ＮＲ仕様を含む将来の仕様において組み合わされる可能性があることが理解される。したがって、説明され、図１０Ａ、１０Ｃ、１０Ｂ、１０Ｄ、および１０Ｅに示される特定のネットワークエンティティおよび機能性は、単に例として提示されたものであり、本明細書に開示され、特許請求される主題は、現在定義されているかまたは将来定義される任意の類似の通信システムの中に具現化または実装してもよいことが理解される。
【０１９６】
図１０Ｆは、例えば、ＲＡＮ１０３／１０４／１０５内の特定のノードまたは機能エンティティ、コアネットワーク１０６／１０７／１０９、ＰＳＴＮ１０８、インターネット１１０、またはその他のネットワーク１１２などの、図１０Ａ、１０Ｃ、１０Ｄ、および１０Ｅに示す通信ネットワークの１つ以上の装置を具現化し得る、例示的なコンピューティングシステム９０のブロック図である。コンピューティングシステム９０は、コンピュータまたはサーバを含むことができ、主としてコンピュータ読み取り可能な命令によって制御されてもよく、命令はソフトウェアの形態であってもよく、ソフトウェアは任意の場所に、あるいは任意の手段によって保存またはアクセスされてもよい。そのようなコンピュータ読み取り可能な命令は、プロセッサ９１内で実行されて、コンピューティングシステム９０を作動させてもよい。プロセッサ９１は、汎用プロセッサ、専用プロセッサ、従来型プロセッサ、デジタルシグナルプロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他の種類の集積回路（ＩＣ）、状態機械などであってもよい。プロセッサ９１は、コンピューティングシステム９０の通信ネットワーク内での動作を可能にする信号符号化や、データ処理や、電源制御や、入出力処理や、任意のその他の機能などを実行することができる。コプロセッサ８１は、メインプロセッサ９１と別個の、追加的機能を実行するか、もしくはプロセッサ９１をアシストするオプショナルプロセッサである。プロセッサ９１とコプロセッサ８１のうち、少なくとも一方は、本明細書に開示の方法と装置に関連するデータを受信、生成、および処理することができる。
【０１９７】
動作中、プロセッサ９１は命令をフェッチし、解読し、実行して、コンピューティングシステムの主要データ転送経路であるシステムバス８０を介して、他のリソースとの間で情報を転送する。そのようなシステムバスは、コンピューティングシステム９０内の構成要素を接続し、データ交換の媒介を規定する。システムバス８０は、通常、データを送信するためのデータラインと、アドレスを送信するためのアドレスラインと、割り込みを送信するためとシステムバスを動作させるための制御ラインを含む。そのようなシステムバス８０の一例が、周辺コンポーネント相互接続（Peripheral  Component  Interconnect：ＰＣＩ）バスである。
【０１９８】
システムバス８０に接続されるメモリには、ランダムアクセスメモリ（ＲＡＭ）８２と読み出し専用メモリ（ＲＯＭ）９３が含まれる。そのようなメモリは、情報を保存し、読み出すことを可能にする回路を含む。ＲＯＭ９３は、一般に、容易に修正できない保存データを収納する。ＲＡＭ８２内に保存されたデータは、プロセッサ９１または他のハードウェアデバイスによって読み取られるか、もしくは変更され得る。ＲＡＭ８２とＲＯＭ９３のうち、少なくとも一方へのアクセスは、メモリコントローラ９２によって制御され得る。メモリコントローラ９２は、命令が実行されるに従って仮想アドレスを物理アドレスに変換するアドレス変換機能を提供することができる。メモリコントローラ９２は、さらに、システム内の各プロセスを隔離し、システムプロセスをユーザプロセスから隔離するメモリ保護機能を提供することができる。したがって、第１モードで実行中のプログラムは、それ自身のプロセス仮想アドレス空間によってマッピングされるメモリのみにアクセスすることができ、プロセス間のメモリ共有が設定されていない限り、別のプロセスの仮想アドレス空間内のメモリにアクセスすることはできない。
【０１９９】
さらに、コンピューティングシステム９０は、プロセッサ９１からの命令の、プリンタ９４、キーボード８４、マウス９５、およびディスクドライブ８５などの周辺機器への伝達を司る周辺機器コントローラ８３を含むことができる。
【０２００】
ディスプレイコントローラ９６によって制御されるディスプレイ８６は、コンピューティングシステム９０によって生成される視覚的出力を表示するために使用される。そのような視覚的出力は、テキスト、グラフィックス、動画グラフィックス、およびビデオを含み得る。視覚的出力は、グラフィカルユーザインターフェース（Graphical  User  Interface：ＧＵＩ）の形で提示され得る。ディスプレイ８６は、ブラウン管（Cathode-Ray  Tube：ＣＲＴ）ベースのビデオディスプレイ、ＬＣＤベースのフラットパネルディスプレイ、ガスプラズマベースのフラットパネルディスプレイ、またはタッチパネルを用いて実装され得る。ディスプレイコントローラ９６は、ディスプレイ８６に送信されるビデオ信号を生成するために必要な電子部品を含む。
【０２０１】
さらに、コンピューティングシステム９０は、図１０Ａ、１０Ｃ、１０Ｂ、１０Ｄ、および１０ＥのＲＡＮ１０３／１０４／１０５、コアネットワーク１０６／１０７／１０９、ＰＳＴＮ１０８、インターネット１１０、またはその他のネットワーク１１２などの外部通信ネットワークにコンピューティングシステム９０を接続するために使用され得る、例えば、ネットワークアダプタ９７などの通信回路を含むことができ、それによって、コンピューティングシステム９０がそれらのネットワークの他のノードまたは機能エンティティと通信できるようにすることができる。通信回路を、単独に、またはプロセッサ９１と共に使用して、本明細書に記載された特定の装置、ノード、または機能エンティティの送信および受信ステップを実行することができる。
【０２０２】
図１０Ｇは、本明細書で説明され特許請求される方法および装置を具現化し得る通信システム１１１の例の一実施形態を示す。図示のように、通信システム１１１の例は、無線送受信ユニット（ＷＴＲＵ）Ａ、Ｂ、Ｃ、Ｄ、Ｅ、Ｆ、基地局、Ｖ２Ｘサーバ、およびＲＳＵ  ＡおよびＢを含み得るが、開示された実施形態は任意の数のＷＴＲＵや、基地局や、ネットワークや、ネットワーク要素を想定していることは理解されるであろう。１つ、複数、またはすべてのＷＴＲＵ  Ａ、Ｂ、Ｃ、Ｄ、Ｅ、はネットワークの範囲外（例えば、破線で示されているセルカバレッジの境界外の図の中）にある可能性がある。ＷＴＲＵ  Ａ、Ｂ、ＣはＶ２Ｘグループを形成し、そのうち、ＷＴＲＵ  Ａはグループリーダーであり、ＷＴＲＵ  ＢおよびＣはグループメンバーである。ＷＴＲＵ  Ａ、Ｂ、Ｃ、Ｄ、Ｅ、Ｆは、Ｕｕインターフェースまたはサイドリンク（ＰＣ５）インターフェースを介して通信することができる。
【０２０３】
本明細書に記載の装置、システム、方法、およびプロセスのいずれかまたはすべては、命令がプロセッサ１１８または９１などのプロセッサによって実行されると、本明細書に記載のシステム、方法、およびプロセスをプロセッサに実行や実装させるコンピュータ可読記憶媒体に格納されたコンピュータ実行可能命令（例えば、プログラムコード）の形で具現化され得ることが理解される。具体的には、本明細書に記載のステップ、動作、または機能のいずれかは、無線および有線ネットワーク通信の少なくとも一方用に構成された装置またはコンピューティングシステムのプロセッサ上で実行される、そのようなコンピュータ実行可能命令の形で実装され得る。コンピュータ可読記憶媒体には、情報を記憶するための任意の非一時的（例えば、有形または物理的）方法または技術で実装された揮発性および不揮発性、リムーバブルおよび非リムーバブルメディアが含まれるが、そのようなコンピュータ可読記憶媒体には信号は含まれない。コンピュータ可読記憶媒体には、ＲＡＭ、ＲＯＭ、電気的消去可能ＲＯＭ（Electrically  Erasable  Programmable  ROM：ＥＥＰＲＯＭ）、フラッシュメモリまたは他のメモリ技術、コンパクトディスクＲＯＭ（Compact  Disc  ROM：ＣＤ−ＲＯＭ）、デジタル多用途ディスク（Digital  Versatile  Disc：ＤＶＤ）または他の光ディスクストレージ、磁気カセット、磁気テープ、磁気ディスクストレージ、または他の磁気ストレージデバイス、または所望の情報を記憶するために使用することができ、コンピューティングシステムによってアクセスすることができる他の任意の有形または物理的媒体が含まれるが、これらに限定されない。
【図１】
2021534628.tif 000041
【図２Ａ】
2021534628.tif 000042
【図２Ｂ】
2021534628.tif 000043
【図３Ａ】
2021534628.tif 000044
【図３Ｂ】
2021534628.tif 000045
【図４Ａ】
2021534628.tif 000046
【図４Ｂ】
2021534628.tif 000047
【図５】
2021534628.tif 000048
【図６】
2021534628.tif 000049
【図７】
2021534628.tif 000050
【図８】
2021534628.tif 000051
【図９Ａ】
2021534628.tif 000052
【図９Ｂ】
2021534628.tif 000053
【図１０Ａ】
2021534628.tif 000054
【図１０Ｂ】
2021534628.tif 000055
【図１０Ｃ】
2021534628.tif 000056
【図１０Ｄ】
2021534628.tif 000057
【図１０Ｅ】
2021534628.tif 000058
【図１０Ｆ】
2021534628.tif 000059
【図１０Ｇ】
2021534628.tif 000060
【国際調査報告】
2021534628.tif 000061
2021534628.tif 000062